(57)【特許請求の範囲】
【請求項１】
ワイヤレス通信のための方法であって、
アップリンク(UL)通信において、同じサブフレームにおいて周波数領域多重化された第1の無線アクセス技術(RAT)の信号および第2のRATの信号を含む合成信号を受信するステップと、
前記第1のRATの前記信号に対応する第1の送信(Tx)直流(DC)ロケーションを識別するステップと、
前記第2のRATの前記信号に対応する第2のTx DCロケーションを識別するステップと、
前記第1のTx DCロケーションまたは前記第2のTx DCロケーションのうちの1つを共通受信(Rx)DCロケーションとして選択するステップと、
前記共通Rx DCロケーションに基づいて前記合成信号に対して共通Rx高速フーリエ変換(FFT)を実行するステップと、
前記共通Rx FFTの出力に基づいて前記第1のRATの前記信号および前記第2のRATの前記信号を復号するステップであって、前記共通Rx FFTの前記出力を前記第1のRATに関連付けられたリソースブロック(RB)および前記第2のRATに関連付けられたRBに分離するステップを備える、ステップと、
前記第1のRATに関連付けられた前記RBまたは前記第2のRATに関連付けられた前記RBのいずれかにおける各トーンにそれぞれの複素位相補償値を適用することによって、前記第1のRATに関連付けられた前記RBまたは前記第2のRATに関連付けられた前記RBのいずれかを処理するステップと
を備える、方法。
【請求項２】
前記第1のTx DCロケーションおよび前記第2のTx DCロケーションが、ハーフトーンシフトだけ異なる、請求項1に記載の方法。
【請求項３】
前記第1のRATが、ハーフトーンシフトを前記UL通信に使用する、請求項1に記載の方法。
【請求項４】
前記第1のTx DCロケーションまたは前記第2のTx DCロケーションのうちの1つを選択するステップが、前記共通Rx DCロケーションとして前記第1のTx DCロケーションを選択するステップをさらに備える、請求項3に記載の方法。
【請求項５】
前記共通Rx FFTを実行する前にハーフトーン回転を前記合成信号に適用するステップをさらに備える、請求項4に記載の方法。
【請求項６】
前記第1のRATに関連付けられた前記RBまたは前記第2のRATに関連付けられた前記RBのいずれかを処理するステップが、前記第2のRATに関連付けられた前記RBにおける各トーンに前記それぞれの複素位相補償値を適用することによって、前記第2のRATに関連付けられた前記RBを処理するステップをさらに備える、請求項5に記載の方法。
【請求項７】
前記第1のTx DCロケーションまたは前記第2のTx DCロケーションのうちの1つを選択するステップが、前記共通Rx DCロケーションとして前記第2のTx DCロケーションを選択するステップをさらに備える、請求項3に記載の方法。
【請求項８】
前記第1のRATに関連付けられた前記RBまたは前記第2のRATに関連付けられた前記RBのいずれかを処理するステップが、前記第1のRATに関連付けられた前記RBにおける各トーンに前記それぞれの複素位相補償値を適用することによって、前記第1のRATに関連付けられた前記RBを処理するステップをさらに備える、請求項7に記載の方法。
【請求項９】
前記第1のRATに関連付けられた前記RBまたは前記第2のRATに関連付けられた前記RBのいずれかを処理するステップが、前記第1のRATに関連付けられた前記RBまたは前記第2のRATに関連付けられた前記RBのいずれかにおける各トーンを前記それぞれの複素位相補償値で乗算するステップを備える、請求項1に記載の方法。
【請求項１０】
前記それぞれの複素位相補償値が各々、シンボルインデックス、サイクリックプレフィックス(CP)タイプ、またはそれらの組合せに基づく、請求項9に記載の方法。
【請求項１１】
ルックアップテーブル(LUT)を介して前記それぞれの複素位相補償値を決定するステップをさらに備える、請求項9に記載の方法。
【請求項１２】
ワイヤレス通信のための方法であって、
アップリンク(UL)通信における第1の無線アクセス技術(RAT)の信号および第2のRATの信号を、それぞれ第1のリソースブロック(RB)および第2のRBに符号化するステップであって、各トーン入力にそれぞれの複素位相補償値を適用することによって、前記第1のRATに関連付けられた前記RBまたは前記第2のRATに関連付けられた前記RBのいずれかを処理する、ステップと、
前記第1のRATの前記信号に対応する第1の送信(Tx)直流(DC)ロケーションを識別するステップと、
前記第2のRATの前記信号に対応する第2のTx DCロケーションを識別するステップと、
前記第1のTx DCロケーションまたは前記第2のTx DCロケーションのうちの1つを共通Tx DCロケーションとして選択するステップと、
前記共通Tx DCロケーションに基づいて前記第1のRBおよび前記第2のRBに対して共通Tx逆高速フーリエ変換(iFFT)を実行するステップと、
前記共通Tx iFFTの出力に基づいて、同じサブフレームにおいて周波数領域多重化された前記第1のRATの前記信号および前記第2のRATの前記信号を含む合成信号を送信するステップと
を備える、方法。
【請求項１３】
前記第1のTx DCロケーションおよび前記第2のTx DCロケーションが、ハーフトーンシフトだけ異なる、請求項12に記載の方法。
【請求項１４】
前記第1のRATが、ハーフトーンシフトを前記UL)通信に使用し、前記第1のTx DCロケーションまたは前記第2のTx DCロケーションのうちの1つを選択するステップが、前記共通Tx DCロケーションとして前記第1のTx DCロケーションを選択するステップをさらに備える、請求項12に記載の方法。
【請求項１５】
前記第1のRATに関連付けられた前記RBまたは前記第2のRATに関連付けられた前記RBのいずれかを処理するステップが、前記それぞれの複素位相補償値を各トーン入力に適用することによって、前記第2のRATに関連付けられた前記RBを処理するステップを備える、請求項14に記載の方法。
【請求項１６】
前記共通Tx iFFTを実行した後かつ前記合成信号を送信する前にハーフトーン回転を前記合成信号に適用するステップをさらに備える、請求項15に記載の方法。
【請求項１７】
前記第1のTx DCロケーションまたは前記第2のTx DCロケーションのうちの1つを選択するステップが、前記共通Tx DCロケーションとして前記第2のTx DCロケーションを選択するステップをさらに備える、請求項14に記載の方法。
【請求項１８】
前記第1のRATに関連付けられた前記RBまたは前記第2のRATに関連付けられた前記RBのいずれかを処理するステップが、前記それぞれの複素位相補償値を各トーン入力に適用することによって、前記第1のRATに関連付けられた前記RBを処理するステップを備える、請求項17に記載の方法。
【請求項１９】
前記第1のRATに関連付けられた前記RBまたは前記第2のRATに関連付けられた前記RBのいずれかを処理するステップが、
前記第1のRATに関連付けられた前記RBまたは前記第2のRATに関連付けられた前記RBのいずれかにおける各トーン出力を前記それぞれの複素位相補償値で乗算するステップであって、前記それぞれの複素位相補償値が各々、シンボルインデックス、サイクリックプレフィックス(CP)タイプ、またはそれらの組合せに基づく、ステップ
を備える、請求項12に記載の方法。
【発明の詳細な説明】
【技術分野】
【０００１】
相互参照
本特許出願は、各々が本出願の譲受人に譲渡された、2017年6月21日に出願された"Techniques for Carrier Sharing Between Radio Access Technologies"と題するGaalらによる米国仮特許出願第62/523,248号、および2018年6月19日に出願された"Techniques for Carrier Sharing Between Radio Access Technologies"と題するGaalらによる米国特許出願第16/012,717号の優先権を主張する。
【０００２】
以下は、一般にワイヤレス通信に関し、より詳細には無線アクセス技術間のキャリア共有のための技法に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって、複数のユーザとの通信をサポートすることが可能である場合がある。そのような多元接続システムの例は、符号分割多元接続(CDMA)システム、時分割多元接続(TDMA)システム、周波数分割多元接続(FDMA)システム、および直交周波数分割多元接続(OFDMA)システム(たとえば、ロングタームエボリューション(LTE)システム、またはニューラジオ(NR)システム)を含む。ワイヤレス多元接続通信システムは、場合によってはユーザ機器(UE)として知られていることがある複数の通信デバイスのための通信を各々が同時にサポートする、いくつかの基地局またはアクセスネットワークノードを含んでもよい。
【発明の概要】
【課題を解決するための手段】
【０００４】
ワイヤレス通信の方法について説明する。本方法は、同じサブフレームにおいて周波数領域多重化された第1の無線アクセス技術(RAT)の信号および第2のRATの信号を含む合成信号を受信するステップと、第1のRATの信号に対応する第1の送信(Tx)直流(DC)ロケーションを識別するステップと、第2のRATの信号に対応する第2のTx DCロケーションを識別するステップと、第1のTx DCロケーションまたは第2のTx DCロケーションのうちの1つを共通受信(Rx) DCロケーションとして選択するステップと、共通Rx DCロケーションに基づいて合成信号に対して共通Rx高速フーリエ変換(FFT)を実行するステップと、共通Rx FFTの出力に基づいて第1のRATの信号および第2のRATの信号を復号するステップとを含んでもよい。
【０００５】
ワイヤレス通信のための装置について説明する。本装置は、同じサブフレームにおいて周波数領域多重化された第1のRATの信号および第2のRATの信号を含む合成信号を受信するための手段と、第1のRATの信号に対応する第1のTx DCロケーションを識別するための手段と、第2のRATの信号に対応する第2のTx DCロケーションを識別するための手段と、第1のTx DCロケーションまたは第2のTx DCロケーションのうちの1つを共通Rx DCロケーションとして選択するための手段と、共通Rx DCロケーションに基づいて合成信号に対して共通Rx FFTを実行するための手段と、共通Rx FFTの出力に基づいて第1のRATの信号および第2のRATの信号を復号するための手段とを含んでもよい。
【０００６】
ワイヤレス通信のための別の装置について説明する。本装置は、プロセッサと、プロセッサと電子通信しているメモリと、メモリに記憶された命令とを含んでもよい。命令は、同じサブフレームにおいて周波数領域多重化された第1のRATの信号および第2のRATの信号を含む合成信号を受信することと、第1のRATの信号に対応する第1のTx DCロケーションを識別することと、第2のRATの信号に対応する第2のTx DCロケーションを識別することと、第1のTx DCロケーションまたは第2のTx DCロケーションのうちの1つを共通Rx DCロケーションとして選択することと、共通Rx DCロケーションに基づいて合成信号に対して共通Rx FFTを実行することと、共通Rx FFTの出力に基づいて第1のRATの信号および第2のRATの信号を復号することとをプロセッサに行わせるように動作可能であってもよい。
【０００７】
ワイヤレス通信のための非一時的コンピュータ可読媒体について説明する。非一時的コンピュータ可読媒体は、同じサブフレームにおいて周波数領域多重化された第1のRATの信号および第2のRATの信号を含む合成信号を受信することと、第1のRATの信号に対応する第1のTx DCロケーションを識別することと、第2のRATの信号に対応する第2のTx DCロケーションを識別することと、第1のTx DCロケーションまたは第2のTx DCロケーションのうちの1つを共通Rx DCロケーションとして選択することと、共通Rx DCロケーションに基づいて合成信号に対して共通Rx FFTを実行することと、共通Rx FFTの出力に基づいて第1のRATの信号および第2のRATの信号を復号することとをプロセッサに行わせるように動作可能な命令を含んでもよい。
【０００８】
上記で説明した方法、装置、および非一時的コンピュータ可読媒体のいくつかの例では、第1のTx DCロケーションおよび第2のTx DCロケーションは、ハーフトーンシフトだけ異なる。上記で説明した方法、装置、および非一時的コンピュータ可読媒体のいくつかの例では、第1のRATは、ハーフトーンシフトをアップリンク(UL)通信に適用する。上記で説明した方法、装置、および非一時的コンピュータ可読媒体のいくつかの例では、第1のTx DCロケーションは、共通Rx DCロケーションとして選択されてもよい。
【０００９】
上記で説明した方法、装置、および非一時的コンピュータ可読媒体のいくつかの例は、共通Rx FFTを実行する前にハーフトーン回転を合成信号に適用するためのプロセス、特徴、手段、または命令をさらに含んでもよい。
【００１０】
上記で説明した方法、装置、および非一時的コンピュータ可読媒体のいくつかの例では、第1のRATの信号および第2のRATの信号を復号することは、共通Rx FFTの出力を第1のRATに関連付けられたリソースブロック(RB)および第2のRATに関連付けられたRBに分離することを備える。上記で説明した方法、装置、および非一時的コンピュータ可読媒体のいくつかの例は、それぞれの複素位相補償値を各トーン出力に適用することによって、第2のRATに関連付けられたRBを処理するためのプロセス、特徴、手段、または命令をさらに含んでもよい。
【００１１】
上記で説明した方法、装置、および非一時的コンピュータ可読媒体のいくつかの例では、第2のTx DCロケーションは、共通Rx DCロケーションとして選択されてもよい。上記で説明した方法、装置、および非一時的コンピュータ可読媒体のいくつかの例では、第1のRATの信号および第2のRATの信号を復号することは、共通Rx FFTの出力を第1のRATに関連付けられたRBおよび第2のRATに関連付けられたRBに分離することを備える。上記で説明した方法、装置、および非一時的コンピュータ可読媒体のいくつかの例は、それぞれの複素位相補償値を各トーン出力に適用することによって、第1のRATに関連付けられたRBを処理するためのプロセス、特徴、手段、または命令をさらに含んでもよい。
【００１２】
上記で説明した方法、装置、および非一時的コンピュータ可読媒体のいくつかの例では、第1のRATの信号および第2のRATの信号を復号することは、共通Rx FFTの出力を第1のRATに関連付けられたRBおよび第2のRATに関連付けられたRBに分離することを備える。上記で説明した方法、装置、および非一時的コンピュータ可読媒体のいくつかの例は、それぞれの複素位相補償値を各トーン出力に適用することによって、第1のRATに関連付けられたRBまたは第2のRATに関連付けられたRBのいずれかを処理するためのプロセス、特徴、手段、または命令をさらに含んでもよい。
【００１３】
上記で説明した方法、装置、および非一時的コンピュータ可読媒体のいくつかの例では、第1のRATに関連付けられたRBまたは第2のRATに関連付けられたRBのいずれかを処理することは、各トーン出力をそれぞれの複素位相補償値で乗算することを備える。
【００１４】
上記で説明した方法、装置、および非一時的コンピュータ可読媒体のいくつかの例では、それぞれの複素位相補償値は各々、シンボルインデックス、サイクリックプレフィックス(CP)タイプ、またはそれらの組合せに基づいてもよい。
【００１５】
上記で説明した方法、装置、および非一時的コンピュータ可読媒体のいくつかの例は、ルックアップテーブル(LUT)を介してまたは計算を通じてそれぞれの複素位相補償値を決定するためのプロセス、特徴、手段、または命令をさらに含んでもよい。
【００１６】
ワイヤレス通信の方法について説明する。本方法は、第1のRATの信号および第2のRATの信号を、それぞれ第1のRBおよび第2のRBに符号化するステップと、第1のRATの信号に対応する第1のTx DCロケーションを識別するステップと、第2のRATの信号に対応する第2のTx DCロケーションを識別するステップと、第1のTx DCロケーションまたは第2のTx DCロケーションのうちの1つを共通Tx DCロケーションとして選択するステップと、共通Tx DCロケーションに基づいて第1のRBおよび第2のRBに対して共通Tx逆高速フーリエ変換(iFFT)を実行するステップと、共通Tx iFFTの出力に基づいて、同じサブフレームにおいて周波数領域多重化された第1のRATの信号および第2のRATの信号を含む合成信号を送信するステップとを含んでもよい。
【００１７】
ワイヤレス通信のための装置について説明する。本装置は、第1のRATの信号および第2のRATの信号を、それぞれ第1のRBおよび第2のRBに符号化するための手段と、第1のRATの信号に対応する第1のTx DCロケーションを識別するための手段と、第2のRATの信号に対応する第2のTx DCロケーションを識別するための手段と、第1のTx DCロケーションまたは第2のTx DCロケーションのうちの1つを共通Tx DCロケーションとして選択するための手段と、共通Tx DCロケーションに基づいて第1のRBおよび第2のRBに対して共通Tx iFFTを実行するための手段と、共通Tx iFFTの出力に基づいて、同じサブフレームにおいて周波数領域多重化された第1のRATの信号および第2のRATの信号を含む合成信号を送信するための手段とを含んでもよい。
【００１８】
ワイヤレス通信のための別の装置について説明する。本装置は、プロセッサと、プロセッサと電子通信しているメモリと、メモリに記憶された命令とを含んでもよい。命令は、第1のRATの信号および第2のRATの信号を、それぞれ第1のRBおよび第2のRBに符号化することと、第1のRATの信号に対応する第1のTx DCロケーションを識別することと、第2のRATの信号に対応する第2のTx DCロケーションを識別することと、第1のTx DCロケーションまたは第2のTx DCロケーションのうちの1つを共通Tx DCロケーションとして選択することと、共通Tx DCロケーションに基づいて第1のRBおよび第2のRBに対して共通Tx iFFTを実行することと、共通Tx iFFTの出力に基づいて、同じサブフレームにおいて周波数領域多重化された第1のRATの信号および第2のRATの信号を含む合成信号を送信することとをプロセッサに行わせるように動作可能であってもよい。
【００１９】
ワイヤレス通信のための非一時的コンピュータ可読媒体について説明する。非一時的コンピュータ可読媒体は、第1のRATの信号および第2のRATの信号を、それぞれ第1のRBおよび第2のRBに符号化することと、第1のRATの信号に対応する第1のTx DCロケーションを識別することと、第2のRATの信号に対応する第2のTx DCロケーションを識別することと、第1のTx DCロケーションまたは第2のTx DCロケーションのうちの1つを共通Tx DCロケーションとして選択することと、共通Tx DCロケーションに基づいて第1のRBおよび第2のRBに対して共通Tx iFFTを実行することと、共通Tx iFFTの出力に基づいて、同じサブフレームにおいて周波数領域多重化された第1のRATの信号および第2のRATの信号を含む合成信号を送信することとをプロセッサに行わせるように動作可能な命令を含んでもよい。
【００２０】
上記で説明した方法、装置、および非一時的コンピュータ可読媒体のいくつかの例では、第1のTx DCロケーションおよび第2のTx DCロケーションは、ハーフトーンシフトだけ異なる。上記で説明した方法、装置、および非一時的コンピュータ可読媒体のいくつかの例では、第1のRATは、ハーフトーンシフトをUL通信に適用する。
【００２１】
上記で説明した方法、装置、および非一時的コンピュータ可読媒体のいくつかの例では、第1のTx DCロケーションは、共通Tx DCロケーションとして選択されてもよい。
【００２２】
上記で説明した方法、装置、および非一時的コンピュータ可読媒体のいくつかの例では、第1のRATの信号および第2のRATの信号を符号化することは、それぞれの複素位相補償値を各トーン入力に適用することによって、第2のRATに関連付けられたRBを処理することを備える。
【００２３】
上記で説明した方法、装置、および非一時的コンピュータ可読媒体のいくつかの例は、共通Tx iFFTを実行した後かつ合成信号を送信する前にハーフトーン回転を合成信号に適用するためのプロセス、特徴、手段、または命令をさらに含んでもよい。
【００２４】
上記で説明した方法、装置、および非一時的コンピュータ可読媒体のいくつかの例では、第2のTx DCロケーションは、共通Tx DCロケーションとして選択されてもよい。
【００２５】
上記で説明した方法、装置、および非一時的コンピュータ可読媒体のいくつかの例では、第1のRATの信号および第2のRATの信号を符号化することは、それぞれの複素位相補償値を各トーン入力に適用することによって、第1のRATに関連付けられたRBを処理することを備える。
【００２６】
上記で説明した方法、装置、および非一時的コンピュータ可読媒体のいくつかの例では、第1のRATの信号および第2のRATの信号を符号化することは、それぞれの複素位相補償値を各トーン入力に適用することによって、第1のRATに関連付けられたRBまたは第2のRATに関連付けられたRBのいずれかを処理することを備える。
【００２７】
上記で説明した方法、装置、および非一時的コンピュータ可読媒体のいくつかの例では、第1のRATに関連付けられたRBまたは第2のRATに関連付けられたRBのいずれかを処理することは、各トーン出力をそれぞれの複素位相補償値で乗算することを備える。
【００２８】
上記で説明した方法、装置、および非一時的コンピュータ可読媒体のいくつかの例では、それぞれの複素位相補償値は各々、シンボルインデックス、CPタイプ、またはそれらの組合せに基づいてもよい。
【００２９】
上記で説明した方法、装置、および非一時的コンピュータ可読媒体のいくつかの例は、LUTを介してまたは計算を通じてそれぞれの複素位相補償値を決定するためのプロセス、特徴、手段、または命令をさらに含んでもよい。
【００３０】
ワイヤレス通信の方法について説明する。本方法は、同じサブフレームにおいて周波数領域多重化された第1のRATの信号および第2のRATの信号を含む合成信号を受信するステップと、第1のRATの信号に対応する第1のTx DCロケーションを識別するステップと、第1のRx DCロケーションに基づいて合成信号に対して第1のRx FFTを実行するステップと、第2のRATの信号に対応する第2のTx DCロケーションを識別するステップと、第2のRx DCロケーションに基づいて合成信号の複製に対して第2のRx FFTを実行するステップと、第1のRx FFTおよび第2のRx FFTの出力に基づいて第1のRATの信号および第2のRATの信号を復号するステップとを含んでもよい。
【００３１】
ワイヤレス通信のための装置について説明する。本装置は、同じサブフレームにおいて周波数領域多重化された第1のRATの信号および第2のRATの信号を含む合成信号を受信するための手段と、第1のRATの信号に対応する第1のTx DCロケーションを識別するための手段と、第1のRx DCロケーションに基づいて合成信号に対して第1のRx FFTを実行するための手段と、第2のRATの信号に対応する第2のTx DCロケーションを識別するための手段と、第2のRx DCロケーションに基づいて合成信号の複製に対して第2のRx FFTを実行するための手段と、第1のRx FFTおよび第2のRx FFTの出力に基づいて第1のRATの信号および第2のRATの信号を復号するための手段とを含んでもよい。
【００３２】
ワイヤレス通信のための別の装置について説明する。本装置は、プロセッサと、プロセッサと電子通信しているメモリと、メモリに記憶された命令とを含んでもよい。命令は、同じサブフレームにおいて周波数領域多重化された第1のRATの信号および第2のRATの信号を含む合成信号を受信することと、第1のRATの信号に対応する第1のTx DCロケーションを識別することと、第1のRx DCロケーションに基づいて合成信号に対して第1のRx FFTを実行することと、第2のRATの信号に対応する第2のTx DCロケーションを識別することと、第2のRx DCロケーションに基づいて合成信号の複製に対して第2のRx FFTを実行することと、第1のRx FFTおよび第2のRx FFTの出力に基づいて第1のRATの信号および第2のRATの信号を復号することとをプロセッサに行わせるように動作可能であってもよい。
【００３３】
ワイヤレス通信のための非一時的コンピュータ可読媒体について説明する。非一時的コンピュータ可読媒体は、同じサブフレームにおいて周波数領域多重化された第1のRATの信号および第2のRATの信号を含む合成信号を受信することと、第1のRATの信号に対応する第1のTx DCロケーションを識別することと、第1のRx DCロケーションに基づいて合成信号に対して第1のRx FFTを実行することと、第2のRATの信号に対応する第2のTx DCロケーションを識別することと、第2のRx DCロケーションに基づいて合成信号の複製に対して第2のRx FFTを実行することと、第1のRx FFTおよび第2のRx FFTの出力に基づいて第1のRATの信号および第2のRATの信号を復号することとをプロセッサに行わせるように動作可能な命令を含んでもよい。
【００３４】
上記で説明した方法、装置、および非一時的コンピュータ可読媒体のいくつかの例では、第1のRATの信号および第2のRATの信号を復号することは、第1のRATの信号を復号する一方で、第2のRATに関連付けられたRBを破棄することを備える。上記で説明した方法、装置、および非一時的コンピュータ可読媒体のいくつかの例は、第2のRATの信号を復号する一方で、第1のRATに関連付けられたRBを破棄するためのプロセス、特徴、手段、または命令をさらに含んでもよい。
【００３５】
上記で説明した方法、装置、および非一時的コンピュータ可読媒体のいくつかの例では、合成信号は、マルチユーザ多入力多出力(MU-MIMO)通信の結果であってもよい。
【００３６】
上記で説明した方法、装置、および非一時的コンピュータ可読媒体のいくつかの例は、第1のRx FFTを実行する前にハーフトーン回転を合成信号に適用するためのプロセス、特徴、手段、または命令をさらに含んでもよい。
【００３７】
上記で説明した方法、装置、および非一時的コンピュータ可読媒体のいくつかの例では、第1のRATの信号および第2のRATの信号を復号することは、第1のRx FFTの出力を第1のRATに関連付けられたRBおよび第2のRATに関連付けられたRBに分離することを備える。上記で説明した方法、装置、および非一時的コンピュータ可読媒体のいくつかの例は、それぞれの複素位相補償値を各トーン出力に適用することによって、第2のRATに関連付けられたRBを処理するためのプロセス、特徴、手段、または命令をさらに含んでもよい。
【００３８】
上記で説明した方法、装置、および非一時的コンピュータ可読媒体のいくつかの例では、第1のRATの信号および第2のRATの信号を復号することは、第2のRx FFTの出力を第1のRATに関連付けられたRBおよび第2のRATに関連付けられたRBに分離することを備える。上記で説明した方法、装置、および非一時的コンピュータ可読媒体のいくつかの例は、それぞれの複素位相補償値を各トーン出力に適用することによって、第1のRATに関連付けられたRBを処理するためのプロセス、特徴、手段、または命令をさらに含んでもよい。
【００３９】
ワイヤレス通信の方法について説明する。本方法は、第1のRATの信号および第2のRATの信号を、それぞれ第1のRBおよび第2のRBに符号化するステップと、第1のRATの信号に対応する第1のTx DCロケーションを識別するステップと、第1のTx DCロケーションに基づいて第1のRBに対して第1のTx iFFTを実行するステップと、第2のRATの信号に対応する第2のTx DCロケーションを識別するステップと、第2のTx DCロケーションに基づいて第2のRBに対して第2のTx iFFTを実行するステップと、第1のTx iFFTおよび第2のTx iFFTの出力に基づいて、同じサブフレームにおいて周波数領域多重化された第1のRATの信号および第2のRATの信号を含む合成信号を送信するステップとを含んでもよい。
【００４０】
ワイヤレス通信のための装置について説明する。本装置は、第1のRATの信号および第2のRATの信号を、それぞれ第1のRBおよび第2のRBに符号化するための手段と、第1のRATの信号に対応する第1のTx DCロケーションを識別するための手段と、第1のTx DCロケーションに基づいて第1のRBに対して第1のTx iFFTを実行するための手段と、第2のRATの信号に対応する第2のTx DCロケーションを識別するための手段と、第2のTx DCロケーションに基づいて第2のRBに対して第2のTx iFFTを実行するための手段と、第1のTx iFFTおよび第2のTx iFFTの出力に基づいて、同じサブフレームにおいて周波数領域多重化された第1のRATの信号および第2のRATの信号を含む合成信号を送信するための手段とを含んでもよい。
【００４１】
ワイヤレス通信のための別の装置について説明する。本装置は、プロセッサと、プロセッサと電子通信しているメモリと、メモリに記憶された命令とを含んでもよい。命令は、第1のRATの信号および第2のRATの信号を、それぞれ第1のRBおよび第2のRBに符号化することと、第1のRATの信号に対応する第1のTx DCロケーションを識別することと、第1のTx DCロケーションに基づいて第1のRBに対して第1のTx iFFTを実行することと、第2のRATの信号に対応する第2のTx DCロケーションを識別することと、第2のTx DCロケーションに基づいて第2のRBに対して第2のTx iFFTを実行することと、第1のTx iFFTおよび第2のTx iFFTの出力に基づいて、同じサブフレームにおいて周波数領域多重化された第1のRATの信号および第2のRATの信号を含む合成信号を送信することとをプロセッサに行わせるように動作可能であってもよい。
【００４２】
ワイヤレス通信のための非一時的コンピュータ可読媒体について説明する。非一時的コンピュータ可読媒体は、第1のRATの信号および第2のRATの信号を、それぞれ第1のRBおよび第2のRBに符号化することと、第1のRATの信号に対応する第1のTx DCロケーションを識別することと、第1のTx DCロケーションに基づいて第1のRBに対して第1のTx iFFTを実行することと、第2のRATの信号に対応する第2のTx DCロケーションを識別することと、第2のTx DCロケーションに基づいて第2のRBに対して第2のTx iFFTを実行することと、第1のTx iFFTおよび第2のTx iFFTの出力に基づいて、同じサブフレームにおいて周波数領域多重化された第1のRATの信号および第2のRATの信号を含む合成信号を送信することとをプロセッサに行わせるように動作可能な命令を含んでもよい。
【００４３】
上記で説明した方法、装置、および非一時的コンピュータ可読媒体のいくつかの例では、ユーザ機器(UE)がUL多入力多出力(MIMO)対応である場合があるとき、第1のTx iFFTおよび第2のTx iFFTは、それぞれ第1のTxチェーンおよび第2のTxチェーンによって実行されてもよい。
【００４４】
上記で説明した方法、装置、および非一時的コンピュータ可読媒体のいくつかの例では、UEがUL MIMO対応または帯域内非連続キャリアアグリゲーション(CA)対応である場合があるとき、第1のTx iFFTおよび第2のTx iFFTは、それぞれ第1のTxチェーンおよび第2のTxチェーンによって実行されてもよい。
【００４５】
上記で説明した方法、装置、および非一時的コンピュータ可読媒体のいくつかの例では、第1のTxチェーンおよび第2のTxチェーンは互いに独立していてもよく、各々が別個の電力増幅器(PA)を有してもよい。
【図面の簡単な説明】
【００４６】
【図１】本開示の態様による、無線アクセス技術間のキャリア共有のための技法をサポートするワイヤレス通信のためのシステムの一例を示す図である。
【図２】本開示の態様による、無線アクセス技術間のキャリア共有のための技法をサポートするワイヤレス通信システムの一例を示す図である。
【図３】本開示の態様による、無線アクセス技術間のキャリア共有のための技法をサポートするトーンチャートの一例を示す図である。
【図４】本開示の態様による、無線アクセス技術間のキャリア共有のための技法をサポートするフローチャートの一例を示す図である。
【図５】本開示の態様による、無線アクセス技術間のキャリア共有のための技法をサポートするフローチャートの一例を示す図である。
【図６】本開示の態様による、無線アクセス技術間のキャリア共有のための技法をサポートするフローチャートの一例を示す図である。
【図７】本開示の態様による、無線アクセス技術間のキャリア共有のための技法をサポートするフローチャートの一例を示す図である。
【図８】本開示の態様による、無線アクセス技術間のキャリア共有のための技法をサポートするフローチャートの一例を示す図である。
【図９】本開示の態様による、無線アクセス技術間のキャリア共有のための技法をサポートするフローチャートの一例を示す図である。
【図１０】本開示の態様による、無線アクセス技術間のキャリア共有のための技法をサポートするフローチャートの一例を示す図である。
【図１１】本開示の態様による、無線アクセス技術間のキャリア共有のための技法をサポートするフローチャートの一例を示す図である。
【図１２】本開示の態様による、無線アクセス技術間のキャリア共有のための技法をサポートするデバイスのブロック図である。
【図１３】本開示の態様による、無線アクセス技術間のキャリア共有のための技法をサポートするデバイスのブロック図である。
【図１４】本開示の態様による、無線アクセス技術間のキャリア共有のための技法をサポートするデバイスのブロック図である。
【図１５】本開示の態様による、無線アクセス技術間のキャリア共有のための技法をサポートする基地局を含むシステムのブロック図である。
【図１６】本開示の態様による、無線アクセス技術間のキャリア共有のための技法をサポートするデバイスのブロック図である。
【図１７】本開示の態様による、無線アクセス技術間のキャリア共有のための技法をサポートするデバイスのブロック図である。
【図１８】本開示の態様による、無線アクセス技術間のキャリア共有のための技法をサポートするデバイスのブロック図である。
【図１９】本開示の態様による、無線アクセス技術間のキャリア共有のための技法をサポートするユーザ機器(UE)を含むシステムのブロック図である。
【発明を実施するための形態】
【００４７】
合成信号における第1の無線アクセス技術(RAT)の信号と第2のRATの信号との間のトーン不整合に対処するための技法について本明細書で説明する。いくつかのワイヤレス通信システムでは、アップリンク(UL)信号のトーンは、特定のRATの構成に基づいてシフトアップまたはシフトダウンされてもよい。第1のRATのUL信号が周波数においてシフトされず、第2のRATのUL信号が周波数においてシフトされる場合、合成信号を処理することは、不一致を考慮するための追加の処理を含んでもよい。
【００４８】
本開示の態様について、最初にワイヤレス通信システムの文脈において説明する。本開示の態様は、無線アクセス技術間のキャリア共有のための技法に関する装置の図、システムの図、およびフローチャートによってさらに示され、それらを参照しながら説明される。
【００４９】
図1は、本開示の様々な態様による、ワイヤレス通信システム100の一例を示す。ワイヤレス通信システム100は、基地局105、ユーザ機器(UE)115、およびコアネットワーク130を含む。いくつかの例では、ワイヤレス通信システム100は、ロングタームエボリューション(LTE)ネットワーク、LTEアドバンスト(LTE-A)ネットワーク、またはニューラジオ(NR)ネットワークであってもよい。いくつかの場合には、ワイヤレス通信システム100は、拡張ブロードバンド通信、超高信頼(すなわち、ミッションクリティカル)通信、低レイテンシ通信、および低コストで低複雑度のデバイスとの通信をサポートしてもよい。
【００５０】
基地局105は、1つまたは複数の基地局アンテナを介してUE115とワイヤレス通信してもよい。各基地局105は、それぞれの地理的カバレージエリア110に通信カバレージを提供してもよい。ワイヤレス通信システム100中に示す通信リンク125は、UE115から基地局105へのUL送信、または基地局105からUE115へのダウンリンク(DL)送信を含んでもよい。制御情報およびデータは、様々な技法に従ってULチャネルまたはDLチャネル上で多重化されてもよい。制御情報およびデータは、たとえば、時分割多重化(TDM)技法、周波数分割多重化(FDM)技法、またはハイブリッドTDM-FDM技法を使用して、DLチャネル上で多重化されてもよい。いくつかの例では、DLチャネルの送信時間間隔(TTI)の間に送信される制御情報は、異なる制御領域の間で(たとえば、共通制御領域と1つまたは複数のUE固有制御領域との間で)カスケード式に分散されてもよい。
【００５１】
UE115は、ワイヤレス通信システム100全体にわたって分散されてもよく、各UE115は、固定またはモバイルであってもよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、あらゆるモノのインターネット(IoE)デバイス、マシンタイプ通信(MTC)デバイス、アプライアンス、自動車などであってもよい。
【００５２】
いくつかの場合には、UE115はまた、(たとえば、ピアツーピア(P2P:peer-to-peer)またはデバイス間(D2D:device-to-device)プロトコルを使用して)他のUEと直接通信することが可能である場合がある。D2D通信を利用するUE115のグループのうちの1つまたは複数は、セルのカバレージエリア110内にあることがある。そのようなグループの中の他のUE115は、セルのカバレージエリア110の外にあるか、またはさもなければ基地局105からの送信を受信することができないことがある。いくつかの場合には、D2D通信を介して通信するUE115のグループは、各UE115がグループの中のすべての他のUE115に送信する1対多(1:M)システムを利用してもよい。いくつかの場合には、基地局105は、D2D通信のためのリソースのスケジューリングを容易にする。他の場合には、D2D通信は、基地局105とは無関係に実行される。
【００５３】
MTCデバイスまたはIoTデバイスなどのいくつかのUE115は、低コストまたは低複雑度のデバイスであってもよく、マシン間の自動化された通信、すなわち、マシンツーマシン(M2M:Machine-to-Machine)通信を提供してもよい。M2MまたはMTCは、人が介在することなく、デバイスが互いとまたは基地局と通信することを可能にするデータ通信技術を指すことがある。たとえば、M2MまたはMTCは、センサーまたはメーターを組み込んで情報を測定または捕捉し、その情報を利用することができる中央サーバまたはアプリケーションプログラムにその情報を中継するか、あるいはプログラムまたはアプリケーションと対話する人間にその情報を提示する、デバイスからの通信を指すことがある。いくつかのUE115は、情報を収集するか、またはマシンの自動化された挙動を可能にするように設計されてもよい。MTCデバイスの用途の例は、スマートメータリング、在庫監視、水位監視、機器監視、ヘルスケア監視、野生生物監視、天候および地質学的事象監視、フリート管理および追跡、リモートセキュリティ検知、物理アクセス制御、ならびにトランザクションベースのビジネス課金を含む。
【００５４】
いくつかの場合には、MTCデバイスは、低減されたピークレートで半二重(一方向)通信を使用して動作してもよい。MTCデバイスはまた、アクティブ通信に関与していないときに電力節約「ディープスリープ」モードに入るように構成されてもよい。いくつかの場合には、MTCデバイスまたはIoTデバイスは、ミッションクリティカル機能をサポートするように設計されてもよく、ワイヤレス通信システムは、これらの機能のために超高信頼通信を提供するように構成されてもよい。
【００５５】
基地局105は、コアネットワーク130と、および互いと通信してもよい。たとえば、基地局105は、バックホールリンク132(たとえば、S1など)を通じてコアネットワーク130とインターフェースしてもよい。基地局105は、バックホールリンク134(たとえば、X2など)を介して、直接または間接的に(たとえば、コアネットワーク130を通じて)のいずれかで互いと通信してもよい。基地局105は、UE115との通信のための無線構成およびスケジューリングを実行してもよく、または基地局コントローラ(図示せず)の制御下で動作してもよい。いくつかの例では、基地局105は、マクロセル、スモールセル、ホットスポットなどであってもよい。基地局105は、発展型ノードB(eNB)105と呼ばれることもある。
【００５６】
基地局105は、S1インターフェースによってコアネットワーク130に接続されてもよい。コアネットワークは、発展型パケットコア(EPC)であってもよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含んでもよい。MMEは、UE115とEPCとの間のシグナリングを処理する制御ノードであってもよい。すべてのユーザインターネットプロトコル(IP)パケットは、それ自体がP-GWに接続される場合があるS-GWを通じて転送されてもよい。P-GWは、IPアドレス割振りならびに他の機能を提供してもよい。P-GWは、ネットワーク事業者のIPサービスに接続されてもよい。事業者のIPサービスは、インターネット、イントラネット、IPマルチメディアサブシステム(IMS)、およびパケット交換(PS)ストリーミングサービスを含んでもよい。
【００５７】
コアネットワーク130は、ユーザ認証、アクセス許可、追跡、インターネットプロトコル(IP)接続性、および他のアクセス機能、ルーティング機能、またはモビリティ機能を提供してもよい。基地局などのネットワークデバイスのうちの少なくともいくつかは、アクセスノードコントローラ(ANC)の一例である場合があるアクセスネットワークエンティティなどのサブコンポーネントを含んでもよい。各アクセスネットワークエンティティは、その各々がスマートラジオヘッド、または送信/受信ポイント(TRP)の一例である場合がある、いくつかの他のアクセスネットワーク送信エンティティを通じて、いくつかのUE115と通信してもよい。いくつかの構成では、各アクセスネットワークエンティティまたは基地局105の様々な機能は、様々なネットワークデバイス(たとえば、ラジオヘッドおよびアクセスネットワークコントローラ)にわたって分散されるか、または単一のネットワークデバイス(たとえば、基地局105)に統合されることがある。
【００５８】
ワイヤレス通信システム100は、700MHzから2600MHz(2.6GHz)までの周波数帯域を使用する超高周波(UHF)周波数領域において動作する場合があるが、いくつかのネットワーク(たとえば、ワイヤレスローカルエリアネットワーク(WLAN))は、4GHzもの高い周波数を使用する場合がある。この領域は、波長が約1デシメートルから1メートルの長さに及ぶので、デシメートル帯域として知られていることもある。UHF波は、主に見通し線によって伝搬することがあり、建物および環境的な地物によって遮蔽されることがある。しかしながら、これらの波は、屋内に位置するUE115にサービスを提供するのに十分な程度に壁を貫通することがある。UHF波の送信は、スペクトルの高周波(HF)または超高周波(VHF)部分のより低い周波数(および、より長い波)を使用する送信と比較して、より小型のアンテナおよびより短い距離(たとえば、100km未満)によって特徴付けられる。いくつかの場合には、ワイヤレス通信システム100はまた、スペクトルの極高周波(EHF)部分(たとえば、30GHzから300GHzまで)を利用してもよい。この領域は、波長が約1ミリメートルから1センチメートルの長さに及ぶので、ミリメートル帯域として知られていることもある。したがって、EHFアンテナは、UHFアンテナよりもさらに小型であり、より間隔が密であってもよい。いくつかの場合には、このことは、UE115内の(たとえば、指向性ビームフォーミングのための)アンテナアレイの使用を容易にすることがある。しかしながら、EHF送信は、UHF送信よりもさらに大きい大気減衰を受け、より距離が短いことがある。
【００５９】
したがって、ワイヤレス通信システム100は、UE115と基地局105との間のミリ波(mmW)通信をサポートしてもよい。mmWまたはEHF帯域において動作するデバイスは、ビームフォーミングを可能にするために複数のアンテナを有してもよい。すなわち、基地局105は、UE115との指向性通信のためのビームフォーミング動作を行うために、複数のアンテナまたはアンテナアレイを使用してもよい。ビームフォーミング(空間フィルタリングまたは指向性送信と呼ばれることもある)は、アンテナビーム全体をシェーピングし、かつ/またはターゲットレシーバ(たとえば、UE115)の方向にステアリングするために、トランスミッタ(たとえば、基地局105)において使用されることがある信号処理技法である。これは、特定の角度における送信信号が強め合う干渉を受ける一方で、他の角度における送信信号が弱め合う干渉を受けるような方法で、アンテナアレイにおける要素を合成することによって達成されることがある。
【００６０】
多入力多出力(MIMO)ワイヤレスシステムは、トランスミッタとレシーバとの両方が複数のアンテナを備える送信方式を、トランスミッタ(たとえば、基地局105)とレシーバ(たとえば、UE115)との間で使用する。ワイヤレス通信システム100のいくつかの部分は、ビームフォーミングを使用してもよい。たとえば、基地局105は、基地局105がUE115との通信においてビームフォーミングのために使用することがある、アンテナポートのいくつかの行および列を有するアンテナアレイを有してもよい。信号は、異なる方向において複数回送信されてもよい(たとえば、各送信は、異なるようにビームフォーミングされてもよい)。mmWレシーバ(たとえば、UE115)は、同期信号を受信しながら、複数のビーム(たとえば、アンテナサブアレイ)を試みてもよい。
【００６１】
いくつかの場合には、基地局105またはUE115のアンテナは、ビームフォーミングまたはMIMO動作をサポートすることがある1つまたは複数のアンテナアレイ内に位置してもよい。1つまたは複数の基地局アンテナまたはアンテナアレイは、アンテナタワーなどのアンテナアセンブリにおいてコロケートされてもよい。いくつかの場合には、基地局105に関連付けられたアンテナまたはアンテナアレイは、多様な地理的ロケーションに位置してもよい。基地局105は、UE115との指向性通信のためのビームフォーミング動作を行うために、複数のアンテナまたはアンテナアレイを使用してもよい。
【００６２】
いくつかの場合には、ワイヤレス通信システム100は、階層化プロトコルスタックに従って動作するパケットベースネットワークであってもよい。ユーザプレーンでは、ベアラまたはパケットデータコンバージェンスプロトコル(PDCP)レイヤにおける通信は、IPベースであってもよい。無線リンク制御(RLC)レイヤは、いくつかの場合には、論理チャネルを介して通信するために、パケットのセグメント化および再アセンブリを実行してもよい。媒体アクセス制御(MAC)レイヤは、優先処理、およびトランスポートチャネルへの論理チャネルの多重化を実行してもよい。MACレイヤはまた、MACレイヤにおける再送信を行ってリンク効率を改善するために、ハイブリッドARQ(HARQ)を使用してもよい。制御プレーンでは、無線リソース制御(RRC)プロトコルレイヤは、ユーザプレーンデータのための無線ベアラをサポートする、UE115と第1のネットワークデバイス、第2のネットワークデバイス、またはコアネットワーク130との間のRRC接続の確立、構成、および保守を行ってもよい。物理(PHY)レイヤにおいて、トランスポートチャネルは物理チャネルにマッピングされてもよい。
【００６３】
LTEまたはNRにおける時間間隔は、(Ts=1/30,720,000秒のサンプリング周期である場合がある)基本時間単位の倍数で表されてもよい。時間リソースは、0から1023にわたるシステムフレーム番号(SFN)によって識別される場合がある、10ms(Tf=307200Ts)の長さの無線フレームに従って編成されてもよい。各フレームは、0から9の番号を付けられた10個の1msサブフレームを含んでもよい。サブフレームは、2つの0.5msスロットにさらに分割されることがあり、スロットの各々は、(各シンボルにプリペンドされたサイクリックプレフィックスの長さに応じて)6個または7個の変調シンボル期間を含む。サイクリックプレフィックスを除いて、各シンボルは2048個のサンプル期間を含む。いくつかの場合には、サブフレームは、TTIとしても知られている最小のスケジューリング単位であってもよい。他の場合には、TTIは、サブフレームよりも短くてもよく、または(たとえば、短いTTIバーストにおいて、もしくは短いTTIを使用する選択されたコンポーネントキャリアにおいて)動的に選択されてもよい。
【００６４】
リソース要素は、1つのシンボル期間および1つのサブキャリア(たとえば、15kHz周波数範囲)からなってもよい。リソースブロック(RB)は、周波数領域において12個の連続サブキャリアを含むことがあり、各直交周波数分割多重化(OFDM)シンボル内のノーマルサイクリックプレフィックスの場合、時間領域(1スロット)において7個の連続OFDMシンボル、または84個のリソース要素を含むことがある。各リソース要素によって搬送されるビット数は、変調方式(各シンボル期間の間に選択されることがあるシンボルの構成)に依存することがある。したがって、UEが受信するRBが多いほど、また変調方式が高いほど、データレートは高くなることがある。
【００６５】
ワイヤレス通信システム100は、複数のセルまたはキャリア上での動作、すなわち、キャリアアグリゲーション(CA)またはマルチキャリア動作と呼ばれることがある機能をサポートしてもよい。キャリアは、コンポーネントキャリア(CC)、レイヤ、チャネルなどと呼ばれることもある。「キャリア」、「コンポーネントキャリア」、「セル」、および「チャネル」という用語は、本明細書では互換的に使用されることがある。UE115は、キャリアアグリゲーションのための複数のDL CCおよび1つまたは複数のUL CCとともに構成されてもよい。キャリアアグリゲーションは、周波数分割複信(FDD)コンポーネントキャリアと時分割複信(TDD)コンポーネントキャリアとの両方とともに使用されてもよい。
【００６６】
いくつかの場合には、ワイヤレス通信システム100は、拡張コンポーネントキャリア(eCC)を利用してもよい。eCCは、より広い帯域幅、より短いシンボル持続時間、より短いTTI、および修正された制御チャネル構成を含む、1つまたは複数の特徴によって特徴付けられてもよい。いくつかの場合には、eCCは、(たとえば、複数のサービングセルが準最適または非理想的なバックホールリンクを有するとき)キャリアアグリゲーション構成またはデュアル接続性構成に関連付けられてもよい。eCCはまた、(2つ以上の事業者がスペクトルを使用することを許容される場合)無認可スペクトルまたは共有スペクトルにおける使用のために構成されてもよい。広い帯域幅によって特徴付けられるeCCは、全帯域幅を監視することが可能ではないかまたは(たとえば、電力を節約するために)限られた帯域幅を使用することを好むUE115によって利用される場合がある、1つまたは複数のセグメントを含んでもよい。
【００６７】
いくつかの場合には、eCCは、他のCCのシンボル持続時間と比較して短縮されたシンボル持続時間の使用を含んでもよい、他のCCとは異なるシンボル持続時間を利用してもよい。より短いシンボル持続時間は、増加したサブキャリア間隔に関連付けられる。eCCを利用するUE115または基地局105などのデバイスは、短縮されたシンボル持続時間(たとえば、16.67マイクロ秒)で、広帯域信号(たとえば、20、40、60、80MHzなど)を送信してもよい。eCCにおけるTTIは、1つまたは複数のシンボルからなることがある。いくつかの場合には、TTI持続時間(すなわち、TTIの中のシンボルの数)は可変であってもよい。
【００６８】
共有無線周波数スペクトル帯域は、NR共有スペクトルシステムにおいて利用されてもよい。たとえば、NR共有スペクトルは、特に、認可スペクトル、共有スペクトル、および無認可スペクトルの任意の組合せを利用してもよい。eCCシンボル持続時間およびサブキャリア間隔の柔軟性により、複数のスペクトルにわたるeCCの使用が可能になることがある。いくつかの例では、NR共有スペクトルは、特にリソースの動的な垂直方向(たとえば、周波数にわたる)および水平方向(たとえば、時間にわたる)の共有によって、スペクトル利用率およびスペクトル効率を高めることがある。
【００６９】
いくつかの場合には、ワイヤレス通信システム100は、認可無線周波数スペクトル帯域と無認可無線周波数スペクトル帯域との両方を利用してもよい。たとえば、ワイヤレス通信システム100は、5GHz産業科学医療(ISM:Industrial, Scientific, and Medical)用帯域などの無認可帯域において、LTEライセンス補助アクセス(LTE-LAA:LTE License Assisted Access)もしくはLTE無認可(LTE U:LTE Unlicensed)無線アクセス技術またはNR技術を採用してもよい。無認可無線周波数スペクトル帯域において動作するとき、基地局105およびUE115などのワイヤレスデバイスは、データを送信する前にチャネルがクリアであることを保証するために、リッスンビフォアトーク(LBT:listen-before-talk)手順を採用してもよい。いくつかの場合には、無認可帯域における動作は、認可帯域において動作するCCと連携するCA構成に基づいてもよい。無認可スペクトルにおける動作は、DL送信、UL送信、または両方を含んでもよい。無認可スペクトルにおける複信は、FDD、TDD、または両方の組合せに基づいてもよい。
【００７０】
図2は、本開示の様々な態様による、無線アクセス技術間のキャリア共有のための技法をサポートするワイヤレス通信システム200の一例を示す。いくつかの例では、ワイヤレス通信システム200は、ワイヤレス通信システム100の態様を実装してもよい。ワイヤレス通信システム200は、基地局205とUE210との間の通信を示す。基地局205は、図1を参照しながら説明した基地局105の一例であってもよい。UE210は、図1を参照しながら説明したUE115の一例であってもよい。
【００７１】
ワイヤレス通信システム200では、基地局205およびUE210は、同じキャリア上で複数のRATを使用して通信してもよい。たとえば、基地局205およびUE210は、同じキャリア上でNR信号とLTE信号との両方を使用して通信してもよい。いくつかの場合には、このことは、DL共有またはUL共有と呼ばれることがある。キャリア共有は、ネットワークの観点とUEの観点との両方からの共有を含んでもよい。キャリア共有は、ネットワークの観点のみからの共有を含んでもよい。第1のRATおよび第2のRATは、任意のタイプのRATであってもよい。たとえば、RATは、NR、LTE、3G、Wi-Fi、Wi-Max、電気電子技術者協会(IEEE)802.11に関連する他の規格、またはそれらの様々な組合せであってもよい。
【００７２】
時として、第1のRATおよび第2のRATの様々な特性は、両方のRATからの信号を含むキャリアに対する符号化手順および復号手順を複雑にすることがある。たとえば、キャリア(たとえば、サブフレーム)がNRに関連付けられた情報およびLTEに関連付けられた情報を含む場合、ULにおけるトーンの間に不一致があることがある。ULの文脈におけるNRとLTEとの間のトーン不整合に対処するための技法について本明細書で説明する。したがって、ワイヤレス通信システム200は、第1のRATを使用するUL信号215および第2のRATを使用するUL信号220を示す。これらのUL信号215および220は、同じPHYレイヤリソース(たとえば、サブフレーム、キャリアなど)にバンドルされることがある。バンドリングは、信号215と信号220との両方を含む合成信号225を形成することがある。いくつかの例では、信号215および信号220は、合成信号225を形成するために周波数分割多重化される。いくつかの例では、信号215および信号220は異なるRBを使用してもよい。本明細書で説明する技法は、DLの文脈においても適用されるように適合される場合があることを諒解されたい。
【００７３】
NRとLTEとの間のトーン周波数の不一致は、それらのRATの特定の特徴に基づく場合がある。LTEでは、UL信号は偶数個のサブキャリア(たとえば、2つのサブキャリア)を有する。したがって、LTEでは、ULは、サブキャリアがDCに対して対称であり、浪費される帯域幅が少なくなるように、サブキャリア間隔の半分だけ周波数においてシフト(アップまたはダウンのいずれか)されることがある。NRでは、そのような周波数シフトはUL信号に適用されない。したがって、合成UL信号がNRとLTEとの両方からの信号を含むとき、LTE信号のDC値は(図3に示すように)NR信号のDC値からオフセットされてもよい。
【００７４】
図3は、本開示の様々な態様による、無線アクセス技術間のキャリア共有のための技法をサポートするトーンチャート300の一例を示す。いくつかの例では、トーンチャート300は、ワイヤレス通信システム100または200の態様を実装してもよい。トーンチャート300は、第1のRAT(たとえば、NR)のためのULトーン305と、第2のRAT(たとえば、LTE)のためのULトーン310とを示す。ULトーン305のためのDC値315は、第2のRATによって行われた周波数シフトに基づいて、ULトーン310のためのDC値320からオフセットされてもよい。DC値315および320は、オフセット325だけ分離されてもよい。いくつかの例では、オフセット325は、ハーフトーンオフセットであってもよい。いくつかの例では、オフセット325は、第2のRAT(たとえば、LTE)のサブキャリア間隔の2分の1に等しくてもよい。いくつかの例では、オフセット325は、第1のRAT(たとえば、NR)のサブキャリア間隔の2分の1に等しくてもよい。
【００７５】
図2に戻ると、UL共有のいくつかの場合には、NRおよびLTEの異なる信号定義は、合成信号225におけるNRとLTEとの間のトーンの処理不整合をもたらすことがある。第2のRAT(たとえば、LTE)はUL信号においてハーフトーンシフトを使用するが、第1のRAT(たとえば、NR)は使用しないことがある。第1のRATと第2のRATとの(たとえば、NRとLTEとの)間のトーン整合を達成するために、考えられるオプションは7.5kHz NR ULラスタシフトを使用することである。別のオプションは、NRにベースバンドハーフトーンシフトを使用することであってもよい。
【００７６】
無線周波数(RF)シフト実装形態の選択肢(すなわち、NR DCはトーン整合されるが、ULラスタは7.5kHzだけシフトされる)に関して、基地局205は、同じサブフレームにおいてFDMされた第1のRAT信号215と第2のRAT信号220の混合物(たとえば、合成信号225)を受信してもよい。そのような実装形態では、合成信号225の中に7.5kHz離れた2つのDCロケーションがある場合がある。基地局205は、両方のUE Txロケーションを軽減するように構成されてもよい。考えられる基地局205のレシーバ実装形態に関して、基地局205は、Rx DCを第1のRAT DCロケーションまたは第2のRAT DCロケーションのいずれかと整合させることを選んでもよい。いくつかの例では、第1のRATと第2のRATとの両方のサブキャリア間隔は15kHzであってもよい。いくつかの例では、NRのサブキャリア間隔は15kHzである。
【００７７】
異なるRATのULトーンのDC値間のオフセットについて生じる場合がある処理問題に対処するための技法について本明細書で説明する。いくつかの例では、いくつかの技法は、合成信号225を処理するために、単一の共通高速フーリエ変換(FFT)および/または逆FFT(iFFT)を使用することを含んでもよい。いくつかの例では、合成信号225を処理するために、複数のFFTおよび/またはiFFTが使用されてもよい。いくつかの例では、第1のRAT信号215および第2のRAT信号220を通信するために、異なる送信/受信チェーンが使用されてもよい。
【００７８】
送信/受信チェーンの例に関して、RATのうちの1つ(たとえば、第1のRAT)は、信号215と220との両方を送信するように構成されてもよい。たとえば、UE210が第1のRAT(たとえば、NR)にMIMOを使用してUL信号を送信するように構成される場合、UE210のULチェーンのうちの1つは、第2のRAT(たとえば、LTE)による使用のために転換されてもよい。いくつかの例では、UE210が第1のRAT(たとえば、NR)に帯域内非連続キャリアアグリゲーションを使用してUL信号を送信するように構成される場合、UE210のULチェーンのうちの1つは、第2のRAT(たとえば、LTE)による使用のために転換されてもよい。そのような例では、独立した電力増幅器を有する2つの独立した送信チェーンが利用される場合、送信の非線形性によって引き起こされる相互変調積が低減されることがある。
【００７９】
図4は、本開示の態様による、無線アクセス技術間のキャリア共有のための技法のための方法400を示すフローチャートを示す。方法400の動作は、本明細書で説明するような基地局105もしくは205またはそのコンポーネントによって実装されてもよい。たとえば、方法400の動作は、図12〜図15を参照しながら説明するように、基地局通信マネージャによって実行されてもよい。いくつかの例では、基地局105、205は、以下で説明する機能を実行するようにデバイスの機能要素を制御するためのコードのセットを実行してもよい。追加または代替として、基地局105、205は、専用ハードウェアを使用して、以下で説明する機能の態様を実行してもよい。
【００８０】
方法400は、基地局105が受信DC値を第2のRAT(たとえば、LTE)のDCロケーションと整合させる一例を示す。方法400は、第1のRATのUL信号215がシフトされず(たとえば、NR)、第2のRATのUL信号220がシフトされる(たとえば、LTE)と仮定する。方法400では、基地局105は、信号215および220を分離する前に、時間領域における合成信号215をシフトしてもよい。したがって、時間領域において合成信号215に適用されたシフトを元に戻すために、追加の処理が周波数領域における第1のRAT信号215に適用されてもよい。
【００８１】
ブロック405において、基地局105は、第1のRATの信号および第2のRATの信号を含む合成信号を受信する。合成信号は、図2を参照しながら説明した合成信号215の一例であってもよい。ブロック405の動作は、本明細書で説明する方法に従って実行されてもよい。いくつかの例では、ブロック405の動作の態様は、図12〜図15を参照しながら説明するように、レシーバによって実行されてもよい。
【００８２】
ブロック410において、基地局105は、時間領域ハーフトーン回転を実行してもよい。たとえば、FFTサイズが2048である場合、2048個の時間領域サンプルは、0からpi(exp{j(n*pi/2048)}、ここでnはサンプルインデックスである)の回転を実現する複素数値で乗算されてもよい。この時点で、第1のRAT(たとえば、NR)の信号および第2のRAT(たとえば、LTE)の信号は分離されていないので、ハーフトーン回転は両方の信号に適用される。ブロック410の機能は、合成信号に対して受信FFTを実行する前に行われてもよい。ブロック410の動作は、本明細書で説明する方法に従って実行されてもよい。いくつかの例では、ブロック410の動作の態様は、図12〜図15を参照しながら説明するように、レシーバによって実行されてもよい。
【００８３】
ブロック415において、基地局105は、回転した合成信号に対して受信FFTを実行してもよい。ブロック415の動作は、本明細書で説明する方法に従って実行されてもよい。いくつかの例では、ブロック415の動作の態様は、図12〜図15を参照しながら説明するように、レシーバによって実行されてもよい。
【００８４】
ブロック420において、基地局105は、第2のRATの信号から第1のRATの信号を分離してもよい。第2のRATの信号について、ダウンストリーム処理は通常どおり進んでもよい。ブロック420の動作は、本明細書で説明する方法に従って実行されてもよい。いくつかの例では、ブロック420の動作の態様は、図12〜図15を参照しながら説明するように、レシーバによって実行されてもよい。
【００８５】
ブロック425において、基地局105は、複素位相補償値を第1のRATの信号に適用してもよい。そのようなアクションは、時間領域における合成信号を回転させることによって引き起こされたシフトを元に戻す場合がある。いくつかの例では、第1のRATの信号の各トーンは、単一の複素位相補償値で乗算されてもよい。位相補償値は、シンボルインデックス、サイクリックプレフィックス、サイクリックプレフィックス(たとえば、ノーマルCPまたは拡張CP)の長さ、サイクリックプレフィックスのタイプ、またはそれらの組合せに依存してもよい。補償値は、ルックアップテーブルから決定されるか、または基地局105によって動的に計算されてもよい。その後、第1のRATの信号のためのダウンストリーム処理は通常どおり進んでもよい。ブロック425の動作は、本明細書で説明する方法に従って実行されてもよい。いくつかの例では、ブロック425の動作の態様は、図12〜図15を参照しながら説明するように、レシーバによって実行されてもよい。
【００８６】
図5は、本開示の態様による、無線アクセス技術間のキャリア共有のための技法のための方法500を示すフローチャートを示す。方法500の動作は、本明細書で説明するような基地局105もしくは205またはそのコンポーネントによって実装されてもよい。たとえば、方法500の動作は、図12〜図15を参照しながら説明するように、基地局通信マネージャによって実行されてもよい。いくつかの例では、基地局105、205は、以下で説明する機能を実行するようにデバイスの機能要素を制御するためのコードのセットを実行してもよい。追加または代替として、基地局105、205は、専用ハードウェアを使用して、以下で説明する機能の態様を実行してもよい。
【００８７】
方法500は、基地局105が受信DC値を第1のRAT(たとえば、NR)のDCロケーションと整合させる一例を示す。方法500は、第1のRATのUL信号215がシフトされず(たとえば、NR)、第2のRATのUL信号220がシフトされる(たとえば、LTE)と仮定する。方法500では、シフトを補償するために、追加の処理が周波数領域における第2のRAT信号215に適用されてもよい。方法500では、基地局105は、FFTを合成信号に適用する前に、時間領域ハーフトーン回転を実行しないことがある。
【００８８】
ブロック505において、基地局105は、第1のRATの信号および第2のRATの信号を含む合成信号を受信する。合成信号は、図2を参照しながら説明した合成信号215の一例であってもよい。ブロック505の動作は、本明細書で説明する方法に従って実行されてもよい。いくつかの例では、ブロック505の動作の態様は、図12〜図15を参照しながら説明するように、レシーバによって実行されてもよい。
【００８９】
ブロック510において、基地局105は、別のネットワークデバイスから受信された合成信号に対して受信FFTを実行してもよい。ブロック510の動作は、本明細書で説明する方法に従って実行されてもよい。いくつかの例では、ブロック510の動作の態様は、図12〜図15を参照しながら説明するように、レシーバによって実行されてもよい。
【００９０】
ブロック515において、基地局105は、第2のRATの信号から第1のRATの信号を分離してもよい。第1のRATの信号について、ダウンストリーム処理は通常どおり進んでもよい。ブロック515の動作は、本明細書で説明する方法に従って実行されてもよい。いくつかの例では、ブロック515の動作の態様は、図12〜図15を参照しながら説明するように、レシーバによって実行されてもよい。
【００９１】
ブロック520において、基地局105は、複素位相補償値を第2のRATの信号に適用してもよい。そのようなアクションは、合成信号のトランスミッタにおいて実装されたシフト(たとえば、LTEにおいて行われたサブキャリア間隔シフトの半分)を元に戻す場合がある。いくつかの例では、第2のRATの信号の各トーンは、単一の複素位相補償値で乗算されてもよい。位相補償値は、シンボルインデックス、サイクリックプレフィックス、サイクリックプレフィックス(たとえば、ノーマルCPまたは拡張CP)の長さ、サイクリックプレフィックスのタイプ、またはそれらの組合せに依存してもよい。補償値は、ルックアップテーブルから決定されるか、または基地局105によって動的に計算されてもよい。その後、第2のRATの信号のためのダウンストリーム処理は通常どおり進んでもよい。いくつかの例では、位相補償値は、方法400で説明した位相補償値の共役である。ブロック520の動作は、本明細書で説明する方法に従って実行されてもよい。いくつかの例では、ブロック520の動作の態様は、図12〜図15を参照しながら説明するように、レシーバによって実行されてもよい。
【００９２】
図6は、本開示の態様による、無線アクセス技術間のキャリア共有のための技法のための方法600を示すフローチャートを示す。方法600の動作は、本明細書で説明するような基地局105もしくは205またはそのコンポーネントによって実装されてもよい。たとえば、方法600の動作は、図12〜図15を参照しながら説明するように、基地局通信マネージャによって実行されてもよい。いくつかの例では、基地局105、205は、以下で説明する機能を実行するようにデバイスの機能要素を制御するためのコードのセットを実行してもよい。追加または代替として、基地局105、205は、専用ハードウェアを使用して、以下で説明する機能の態様を実行してもよい。
【００９３】
ブロック605において、基地局105は、同じサブフレームにおいて周波数領域多重化された第1のRATの信号および第2のRATの信号を含む合成信号を受信してもよい。ブロック605の動作は、本明細書で説明する方法に従って実行されてもよい。いくつかの例では、ブロック605の動作の態様は、図12〜図15を参照しながら説明するように、レシーバによって実行されてもよい。
【００９４】
ブロック610において、基地局105は、第1のRATの信号に対応する第1の送信(Tx)直流(DC)ロケーションを識別してもよい。ブロック610の動作は、本明細書で説明する方法に従って実行されてもよい。いくつかの例では、ブロック610の動作の態様は、図12〜図15を参照しながら説明するように、DCマネージャによって実行されてもよい。
【００９５】
ブロック615において、基地局105は、第2のRATの信号に対応する第2のTx DCロケーションを識別してもよい。ブロック615の動作は、本明細書で説明する方法に従って実行されてもよい。いくつかの例では、ブロック615の動作の態様は、図12〜図15を参照しながら説明するように、DCマネージャによって実行されてもよい。
【００９６】
ブロック620において、基地局105は、第1のTx DCロケーションまたは第2のTx DCロケーションのうちの1つを共通Rx DCロケーションとして選択してもよい。ブロック620の動作は、本明細書で説明する方法に従って実行されてもよい。いくつかの例では、ブロック620の動作の態様は、図12〜図15を参照しながら説明するように、ロケーションマネージャによって実行されてもよい。
【００９７】
ブロック625において、基地局105は、共通Rx DCロケーションに基づいて合成信号に対して共通Rx FFTを実行してもよい。ブロック625の動作は、本明細書で説明する方法に従って実行されてもよい。いくつかの例では、ブロック625の動作の態様は、図12〜図15を参照しながら説明するように、FFTマネージャによって実行されてもよい。
【００９８】
ブロック630において、基地局105は、共通Rx FFTの出力に基づいて第1のRATの信号および第2のRATの信号を復号してもよい。ブロック630の動作は、本明細書で説明する方法に従って実行されてもよい。いくつかの例では、ブロック630の動作の態様は、図12〜図15を参照しながら説明するように、復号マネージャによって実行されてもよい。
【００９９】
図7は、本開示の態様による、無線アクセス技術間のキャリア共有のための技法のための方法700を示すフローチャートを示す。方法700の動作は、本明細書で説明するような基地局105もしくは205またはそのコンポーネントによって実装されてもよい。たとえば、方法700の動作は、図12〜図15を参照しながら説明するように、基地局通信マネージャによって実行されてもよい。いくつかの例では、基地局105、205は、以下で説明する機能を実行するようにデバイスの機能要素を制御するためのコードのセットを実行してもよい。追加または代替として、基地局105、205は、専用ハードウェアを使用して、以下で説明する機能の態様を実行してもよい。
【０１００】
方法700は、基地局105が合成信号の中の第1のRAT信号および合成信号の中の第2のRAT信号を復号するために2つのFFTとともに2つの受信チェーンを使用するように構成されてもよい一例を示す。たとえば、第1の受信チェーンは第1のRAT(たとえば、NR)の信号に専用であってもよく、第2の受信チェーンは第2のRAT(たとえば、LTE)の信号に専用であってもよい。第1のRATのための受信チェーンでは、第1のRATに関連付けられた第1のFFTを適用した後、基地局105は第1のRAT RBを抽出し、第2のRAT RBの中のコンテンツを破棄してもよい。第2のRATのための受信チェーンでは、第2のRATに関連付けられた第2のFFTを適用した後、基地局105は第2のRAT RBを抽出し、第1のRAT RBの中のコンテンツを破棄してもよい。上記を行うことによって、基地局105は、第2のRAT信号から第1のRAT信号を分離してもよい。信号が分離された後、信号はそれらのそれぞれのRATに対して別々に定義されたダウンストリーム動作を受ける。
【０１０１】
NR信号およびLTE信号が同じRB上で互いの上部にある、いくつかのマルチユーザ(MU)MIMOの例では、上記で説明したように2つの受信チェーンを使用することは、2つの信号がRB領域において結合されているので、これらの信号を分離しないことがある。そのような例では、信号を分離するためにシングルFFT解決策が使用されてもよい。
【０１０２】
ブロック705において、基地局105は、同じサブフレームにおいて周波数領域多重化された第1のRATの信号および第2のRATの信号を含む合成信号を受信してもよい。ブロック705の動作は、本明細書で説明する方法に従って実行されてもよい。いくつかの例では、ブロック705の動作の態様は、図12〜図15を参照しながら説明するように、レシーバによって実行されてもよい。
【０１０３】
ブロック710において、基地局105は、第1のRATの信号に対応する第1のTx DCロケーションを識別してもよい。ブロック710の動作は、本明細書で説明する方法に従って実行されてもよい。いくつかの例では、ブロック710の動作の態様は、図12〜図15を参照しながら説明するように、ロケーションマネージャによって実行されてもよい。
【０１０４】
ブロック715において、基地局105は、第1のRx DCロケーションに基づいて合成信号に対して第1のRx FFTを実行してもよい。ブロック715の動作は、本明細書で説明する方法に従って実行されてもよい。いくつかの例では、ブロック715の動作の態様は、図12〜図15を参照しながら説明するように、FFTマネージャによって実行されてもよい。
【０１０５】
ブロック720において、基地局105は、第2のRATの信号に対応する第2のTx DCロケーションを識別してもよい。ブロック720の動作は、本明細書で説明する方法に従って実行されてもよい。いくつかの例では、ブロック720の動作の態様は、図12〜図15を参照しながら説明するように、ロケーションマネージャによって実行されてもよい。
【０１０６】
ブロック725において、基地局105は、第2のRx DCロケーションに基づいて合成信号の複製に対して第2のRx FFTを実行してもよい。ブロック725の動作は、本明細書で説明する方法に従って実行されてもよい。いくつかの例では、ブロック725の動作の態様は、図12〜図15を参照しながら説明するように、FFTマネージャによって実行されてもよい。
【０１０７】
ブロック730において、基地局105は、第1のRx FFTおよび第2のRx FFTの出力に基づいて第1のRATの信号および第2のRATの信号を復号してもよい。ブロック730の動作は、本明細書で説明する方法に従って実行されてもよい。いくつかの例では、ブロック730の動作の態様は、図12〜図15を参照しながら説明するように、復号マネージャによって実行されてもよい。
【０１０８】
図8は、本開示の態様による、無線アクセス技術間のキャリア共有のための技法のための方法800を示すフローチャートを示す。方法800の動作は、本明細書で説明するようなUE115もしくは210またはそのコンポーネントによって実装されてもよい。たとえば、方法800の動作は、図16〜図19を参照しながら説明するように、UE通信マネージャによって実行されてもよい。いくつかの例では、UE115、210は、以下で説明する機能を実行するようにデバイスの機能要素を制御するためのコードのセットを実行してもよい。追加または代替として、UE115、210は、専用ハードウェアを使用して、以下で説明する機能の態様を実行してもよい。
【０１０９】
方法800は、UE115が送信DC値を第2のRAT(たとえば、LTE)のDCロケーションと整合させる一例を示す。方法800は、第1のRATのUL信号215がシフトされず(たとえば、NR)、第2のRATのUL信号220がシフトされる(たとえば、LTE)と仮定する。方法800では、UE115は、第2のRATに関連付けられた共通iFFTを合成信号に適用する前に、第1のRATのUL信号に対して何らかの前処理を実行してもよい。前処理は、第2のRATのトーンシフトを考慮する共通iFFTを適用することを考慮するために、周波数領域における第1のRAT信号215に適用されてもよい。
【０１１０】
ブロック805において、UE115は、複素位相補償値を第1のRATの信号に適用してもよい。いくつかの例では、第1のRATの信号の各トーンは、単一の複素位相補償値で乗算されてもよい。位相補償値は、シンボルインデックス、サイクリックプレフィックス、サイクリックプレフィックス(たとえば、ノーマルCPまたは拡張CP)の長さ、サイクリックプレフィックスのタイプ、またはそれらの組合せに依存してもよい。補償値は、ルックアップテーブルから決定されるか、またはUE115によって動的に計算されてもよい。その後、第1のRATの信号のためのダウンストリーム処理は通常どおり進んでもよい。ブロック805の動作は、本明細書で説明する方法に従って実行されてもよい。いくつかの例では、ブロック805の動作の態様は、図16〜図19を参照しながら説明するように、符号化マネージャによって実行されてもよい。
【０１１１】
ブロック810において、UE115は、合成信号を形成するために第1のRATの信号および第2のRATの信号を合成してもよい。ブロック810の動作は、本明細書で説明する方法に従って実行されてもよい。いくつかの例では、ブロック810の動作の態様は、図16〜図19を参照しながら説明するように、符号化マネージャによって実行されてもよい。
【０１１２】
ブロック815において、UE115は、第1のRATの信号および第2のRATの信号に対して共通iFFTを実行してもよい。いくつかの例では、共通iFFTは、補償値が第1のRATの信号に適用された後に適用されてもよい。ブロック815の動作は、本明細書で説明する方法に従って実行されてもよい。いくつかの例では、ブロック815の動作の態様は、図16〜図19を参照しながら説明するように、符号化マネージャによって実行されてもよい。
【０１１３】
ブロック820において、UE115は、合成信号に対して時間領域ハーフトーン回転を実行してもよい。たとえば、FFTサイズが2048である場合、2048個の時間領域サンプルは、0からpi(exp{j(n*pi/2048)}、ここでnはサンプルインデックスである)の回転を実現する複素数値で乗算されてもよい。この時点で、第1のRAT(たとえば、NR)の信号および第2のRAT(たとえば、LTE)の信号は分離されていないので、ハーフトーン回転は両方の信号に適用される。ブロック820の機能は、合成信号に対して共通iFFTを実行した後に行われてもよい。ブロック820の動作は、本明細書で説明する方法に従って実行されてもよい。いくつかの例では、ブロック820の動作の態様は、図16〜図19を参照しながら説明するように、符号化マネージャによって実行されてもよい。
【０１１４】
ブロック825において、UE115は、第1のRATの信号および第2のRATの信号を含む合成信号を送信してもよい。合成信号は、図2を参照しながら説明した合成信号215の一例であってもよい。ブロック825の動作は、本明細書で説明する方法に従って実行されてもよい。いくつかの例では、ブロック825の動作の態様は、図16〜図19を参照しながら説明するように、符号化マネージャによって実行されてもよい。
【０１１５】
図9は、本開示の態様による、無線アクセス技術間のキャリア共有のための技法のための方法900を示すフローチャートを示す。方法900の動作は、本明細書で説明するようなUE115もしくは210またはそのコンポーネントによって実装されてもよい。たとえば、方法900の動作は、図16〜図19を参照しながら説明するように、UE通信マネージャによって実行されてもよい。いくつかの例では、UE115、210は、以下で説明する機能を実行するようにデバイスの機能要素を制御するためのコードのセットを実行してもよい。追加または代替として、UE115、210は、専用ハードウェアを使用して、以下で説明する機能の態様を実行してもよい。
【０１１６】
方法900は、UE115が送信DC値を第1のRAT(たとえば、NR)のDCロケーションと整合させる一例を示す。方法900は、第1のRATのUL信号215がシフトされず(たとえば、NR)、第2のRATのUL信号220がシフトされる(たとえば、LTE)と仮定する。方法900では、UE115は、第1のRATに関連付けられた共通iFFTを合成信号に適用する前に、第2のRATのUL信号に対して何らかの前処理を実行してもよい。前処理は、第1のRATに関連付けられ、第2のRATにおけるいかなるトーンシフトも考慮しない共通iFFTを適用することを考慮するために、周波数領域における第2のRAT信号220に適用されてもよい。
【０１１７】
ブロック905において、UE115は、複素位相補償値を第2のRATの信号に適用してもよい。いくつかの例では、第2のRATの信号の各トーンは、単一の複素位相補償値で乗算されてもよい。位相補償値は、シンボルインデックス、サイクリックプレフィックス、サイクリックプレフィックス(たとえば、ノーマルCPまたは拡張CP)の長さ、サイクリックプレフィックスのタイプ、またはそれらの組合せに依存してもよい。補償値は、ルックアップテーブルから決定されるか、またはUE115によって動的に計算されてもよい。その後、第2のRATの信号のためのダウンストリーム処理は通常どおり進んでもよい。いくつかの例では、位相補償値は、方法800で説明した位相補償値の共役である。ブロック905の動作は、本明細書で説明する方法に従って実行されてもよい。いくつかの例では、ブロック905の動作の態様は、図16〜図19を参照しながら説明するように、符号化マネージャによって実行されてもよい。
【０１１８】
ブロック910において、UE115は、合成信号を形成するために第1のRATの信号および第2のRATの信号を合成してもよい。ブロック910の動作は、本明細書で説明する方法に従って実行されてもよい。いくつかの例では、ブロック910の動作の態様は、図16〜図19を参照しながら説明するように、符号化マネージャによって実行されてもよい。
【０１１９】
ブロック915において、UE115は、第1のRATの信号および第2のRATの信号に対して共通iFFTを実行してもよい。いくつかの例では、共通iFFTは、補償値が第2のRATの信号に適用された後に適用されてもよい。ブロック915の動作は、本明細書で説明する方法に従って実行されてもよい。いくつかの例では、ブロック915の動作の態様は、図16〜図19を参照しながら説明するように、符号化マネージャによって実行されてもよい。
【０１２０】
ブロック920において、UE115は、第1のRATの信号および第2のRATの信号を含む合成信号を送信してもよい。合成信号は、図2を参照しながら説明した合成信号215の一例であってもよい。ブロック920の動作は、本明細書で説明する方法に従って実行されてもよい。いくつかの例では、ブロック920の動作の態様は、図16〜図19を参照しながら説明するように、符号化マネージャによって実行されてもよい。
【０１２１】
図10は、本開示の態様による、無線アクセス技術間のキャリア共有のための技法のための方法1000を示すフローチャートを示す。方法1000の動作は、本明細書で説明するようなUE115もしくは210またはそのコンポーネントによって実装されてもよい。たとえば、方法1000の動作は、図16〜図19を参照しながら説明するように、UE通信マネージャによって実行されてもよい。いくつかの例では、UE115、210は、以下で説明する機能を実行するようにデバイスの機能要素を制御するためのコードのセットを実行してもよい。追加または代替として、UE115、210は、専用ハードウェアを使用して、以下で説明する機能の態様を実行してもよい。
【０１２２】
ブロック1005において、UE115は、第1のRATの信号および第2のRATの信号を、それぞれ第1のRBおよび第2のRBに符号化してもよい。ブロック1005の動作は、本明細書で説明する方法に従って実行されてもよい。いくつかの例では、ブロック1005の動作の態様は、図16〜図19を参照しながら説明するように、符号化マネージャによって実行されてもよい。
【０１２３】
ブロック1010において、UE115は、第1のRATの信号に対応する第1のTx DCロケーションを識別してもよい。ブロック1010の動作は、本明細書で説明する方法に従って実行されてもよい。いくつかの例では、ブロック1010の動作の態様は、図16〜図19を参照しながら説明するように、DCマネージャによって実行されてもよい。
【０１２４】
ブロック1015において、UE115は、第2のRATの信号に対応する第2のTx DCロケーションを識別してもよい。ブロック1015の動作は、本明細書で説明する方法に従って実行されてもよい。いくつかの例では、ブロック1015の動作の態様は、図16〜図19を参照しながら説明するように、DCマネージャによって実行されてもよい。
【０１２５】
ブロック1020において、UE115は、第1のTx DCロケーションまたは第2のTx DCロケーションのうちの1つを共通Tx DCロケーションとして選択してもよい。ブロック1020の動作は、本明細書で説明する方法に従って実行されてもよい。いくつかの例では、ブロック1020の動作の態様は、図16〜図19を参照しながら説明するように、ロケーションマネージャによって実行されてもよい。
【０１２６】
ブロック1025において、UE115は、共通Tx DCロケーションに基づいて第1のRBおよび第2のRBに対して共通Tx iFFTを実行してもよい。ブロック1025の動作は、本明細書で説明する方法に従って実行されてもよい。いくつかの例では、ブロック1025の動作の態様は、図16〜図19を参照しながら説明するように、iFFTマネージャによって実行されてもよい。
【０１２７】
ブロック1030において、UE115は、共通Tx iFFTの出力に基づいて、同じサブフレームにおいて周波数領域多重化された第1のRATの信号および第2のRATの信号を含む合成信号を送信してもよい。ブロック1030の動作は、本明細書で説明する方法に従って実行されてもよい。いくつかの例では、ブロック1030の動作の態様は、図16〜図19を参照しながら説明するように、トランスミッタによって実行されてもよい。
【０１２８】
図11は、本開示の態様による、無線アクセス技術間のキャリア共有のための技法のための方法1100を示すフローチャートを示す。方法1100の動作は、本明細書で説明するようなUE115もしくは210またはそのコンポーネントによって実装されてもよい。たとえば、方法1100の動作は、図16〜図19を参照しながら説明するように、UE通信マネージャによって実行されてもよい。いくつかの例では、UE115、210は、以下で説明する機能を実行するようにデバイスの機能要素を制御するためのコードのセットを実行してもよい。追加または代替として、UE115、210は、専用ハードウェアを使用して、以下で説明する機能の態様を実行してもよい。
【０１２９】
方法1100は、UE115が合成信号の中の第1のRAT信号および合成信号の中の第2のRAT信号を符号化するために2つのiFFTとともに2つの送信チェーンを使用するように構成されてもよい一例を示す。たとえば、第1の送信チェーンは第1のRAT(たとえば、NR)の信号に専用であってもよく、第2の送信チェーンは第2のRAT(たとえば、LTE)の信号に専用であってもよい。第1のRATのための送信チェーンでは、第1のRATに関連付けられた第1のiFFTを第1のRAT RBに適用した後、UE115は第1のRAT RBを合成信号に挿入してもよい。第2のRATのための送信チェーンでは、第2のRATに関連付けられた第2のiFFTを第2のRAT RBに適用した後、UE115は第2のRAT RBを合成信号に挿入してもよい。上記を行うことによって、基地局105は第1のRAT信号を第2のRAT信号と合成してもよい。信号が合成された後、UE115は合成信号を送信してもよい。
【０１３０】
ブロック1105において、UE115は、第1のRATの信号および第2のRATの信号を、それぞれ第1のRBおよび第2のRBに符号化してもよい。ブロック1105の動作は、本明細書で説明する方法に従って実行されてもよい。いくつかの例では、ブロック1105の動作の態様は、図16〜図19を参照しながら説明するように、符号化マネージャによって実行されてもよい。
【０１３１】
ブロック1110において、UE115は、第1のRATの信号に対応する第1のTx DCロケーションを識別してもよい。ブロック1110の動作は、本明細書で説明する方法に従って実行されてもよい。いくつかの例では、ブロック1110の動作の態様は、図16〜図19を参照しながら説明するように、ロケーションマネージャによって実行されてもよい。
【０１３２】
ブロック1115において、UE115は、第1のTx DCロケーションに基づいて第1のRBに対して第1のTx iFFTを実行してもよい。ブロック1115の動作は、本明細書で説明する方法に従って実行されてもよい。いくつかの例では、ブロック1115の動作の態様は、図16〜図19を参照しながら説明するように、iFFTマネージャによって実行されてもよい。
【０１３３】
ブロック1120において、UE115は、第2のRATの信号に対応する第2のTx DCロケーションを識別してもよい。ブロック1120の動作は、本明細書で説明する方法に従って実行されてもよい。いくつかの例では、ブロック1120の動作の態様は、図16〜図19を参照しながら説明するように、ロケーションマネージャによって実行されてもよい。
【０１３４】
ブロック1125において、UE115は、第2のTx DCロケーションに基づいて第2のRBに対して第2のTx iFFTを実行してもよい。ブロック1125の動作は、本明細書で説明する方法に従って実行されてもよい。いくつかの例では、ブロック1125の動作の態様は、図16〜図19を参照しながら説明するように、iFFTマネージャによって実行されてもよい。
【０１３５】
ブロック1130において、UE115は、第1のTx iFFTおよび第2のTx iFFTの出力に基づいて、同じサブフレームにおいて周波数領域多重化された第1のRATの信号および第2のRATの信号を含む合成信号を送信してもよい。ブロック1130の動作は、本明細書で説明する方法に従って実行されてもよい。いくつかの例では、ブロック1130の動作の態様は、図16〜図19を参照しながら説明するように、トランスミッタによって実行されてもよい。
【０１３６】
上記で説明した方法は可能な実装形態について説明していること、動作およびステップは再構成されるかまたは他の方法で修正されてもよいこと、他の実装形態が可能であることに留意されたい。さらに、方法のうちの2つ以上からの態様が組み合わされてもよい。
【０１３７】
図12は、本開示の態様による、無線アクセス技術間のキャリア共有のための技法をサポートするワイヤレスデバイス1205のブロック図1200を示す。ワイヤレスデバイス1205は、本明細書で説明するような基地局105の態様の一例であってもよい。ワイヤレスデバイス1205は、レシーバ1210、基地局通信マネージャ1215、およびトランスミッタ1220を含んでもよい。ワイヤレスデバイス1205はまた、プロセッサを含んでもよい。これらのコンポーネントの各々は、(たとえば、1つまたは複数のバスを介して)互いと通信していてもよい。
【０１３８】
レシーバ1210は、パケット、ユーザデータ、または様々な情報チャネル(たとえば、制御チャネル、データチャネル、および無線アクセス技術間のキャリア共有のための技法に関する情報など)に関連付けられた制御情報などの情報を受信してもよい。情報は、デバイスの他のコンポーネントに渡されてもよい。レシーバ1210は、図15を参照しながら説明するトランシーバ1535の態様の一例であってもよい。レシーバ1210は、単一のアンテナまたはアンテナのセットを利用してもよい。
【０１３９】
レシーバ1210は、同じサブフレームにおいて周波数領域多重化された第1のRATの信号および第2のRATの信号を含む合成信号を受信してもよい。いくつかの場合には、合成信号は、MU-MIMO通信の結果である。
【０１４０】
基地局通信マネージャ1215は、図15を参照しながら説明する基地局通信マネージャ1515の態様の一例であってもよい。
【０１４１】
基地局通信マネージャ1215および/またはその様々なサブコンポーネントのうちの少なくともいくつかは、ハードウェア、プロセッサによって実行されるソフトウェア、ファームウェア、またはそれらの任意の組合せにおいて実装されてもよい。プロセッサによって実行されるソフトウェアにおいて実装される場合、基地局通信マネージャ1215および/またはその様々なサブコンポーネントのうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェアコンポーネント、または本開示で説明する機能を実行するように設計されたそれらの任意の組合せによって実行されてもよい。基地局通信マネージャ1215および/またはその様々なサブコンポーネントのうちの少なくともいくつかは、機能の部分が1つまたは複数の物理デバイスによって異なる物理的ロケーションにおいて実装されるように分散されることを含めて、様々な位置に物理的に配置されてもよい。いくつかの例では、基地局通信マネージャ1215および/またはその様々なサブコンポーネントのうちの少なくともいくつかは、本開示の様々な態様による別個の異なるコンポーネントであってもよい。他の例では、基地局通信マネージャ1215および/またはその様々なサブコンポーネントのうちの少なくともいくつかは、限定はしないが、I/Oコンポーネント、トランシーバ、ネットワークサーバ、別のコンピューティングデバイス、本開示で説明する1つもしくは複数の他のコンポーネント、または本開示の様々な態様によるそれらの組合せを含む、1つまたは複数の他のハードウェアコンポーネントと組み合わされてもよい。
【０１４２】
基地局通信マネージャ1215は、第1のRATの信号に対応する第1のTx DCロケーションを識別し、第2のRATの信号に対応する第2のTx DCロケーションを識別し、第1のTx DCロケーションまたは第2のTx DCロケーションのうちの1つを共通Rx DCロケーションとして選択し、共通Rx DCロケーションに基づいて合成信号に対して共通Rx FFTを実行し、共通Rx FFTの出力に基づいて第1のRATの信号および第2のRATの信号を復号してもよい。基地局通信マネージャ1215はまた、第1のRATの信号に対応する第1のTx DCロケーションを識別し、第1のRx DCロケーションに基づいて合成信号に対して第1のRx FFTを実行し、第2のRATの信号に対応する第2のTx DCロケーションを識別し、第2のRx DCロケーションに基づいて合成信号の複製に対して第2のRx FFTを実行し、第1のRx FFTおよび第2のRx FFTの出力に基づいて第1のRATの信号および第2のRATの信号を復号してもよい。
【０１４３】
トランスミッタ1220は、デバイスの他のコンポーネントによって生成された信号を送信してもよい。いくつかの例では、トランスミッタ1220は、トランシーバモジュールにおいてレシーバ1210とコロケートされてもよい。たとえば、トランスミッタ1220は、図15を参照しながら説明するトランシーバ1535の態様の一例であってもよい。トランスミッタ1220は、単一のアンテナまたはアンテナのセットを利用してもよい。
【０１４４】
図13は、本開示の態様による、無線アクセス技術間のキャリア共有のための技法をサポートするワイヤレスデバイス1305のブロック図1300を示す。ワイヤレスデバイス1305は、図12を参照しながら説明したようなワイヤレスデバイス1205または基地局105の態様の一例であってもよい。ワイヤレスデバイス1305は、レシーバ1310、基地局通信マネージャ1315、およびトランスミッタ1320を含んでもよい。ワイヤレスデバイス1305はまた、プロセッサを含んでもよい。これらのコンポーネントの各々は、(たとえば、1つまたは複数のバスを介して)互いと通信していてもよい。
【０１４５】
レシーバ1310は、パケット、ユーザデータ、または様々な情報チャネル(たとえば、制御チャネル、データチャネル、および無線アクセス技術間のキャリア共有のための技法に関する情報など)に関連付けられた制御情報などの情報を受信してもよい。情報は、デバイスの他のコンポーネントに渡されてもよい。レシーバ1310は、図15を参照しながら説明するトランシーバ1535の態様の一例であってもよい。レシーバ1310は、単一のアンテナまたはアンテナのセットを利用してもよい。
【０１４６】
基地局通信マネージャ1315は、図15を参照しながら説明する基地局通信マネージャ1515の態様の一例であってもよい。基地局通信マネージャ1315はまた、DCマネージャ1325、ロケーションマネージャ1330、FFTマネージャ1335、および復号マネージャ1340を含んでもよい。
【０１４７】
DCマネージャ1325は、第1のRATの信号に対応する第1のTx DCロケーションを識別し、第2のRATの信号に対応する第2のTx DCロケーションを識別してもよい。いくつかの場合には、第1のTx DCロケーションおよび第2のTx DCロケーションは、ハーフトーンシフトだけ異なる。いくつかの場合には、第1のRATは、ハーフトーンシフトをUL通信に適用する。いくつかの場合には、第1のTx DCロケーションは、共通Rx DCロケーションとして選択される。いくつかの場合には、第2のTx DCロケーションは、共通Rx DCロケーションとして選択される。
【０１４８】
ロケーションマネージャ1330は、第1のTx DCロケーションまたは第2のTx DCロケーションのうちの1つを共通Rx DCロケーションとして選択し、第1のRATの信号に対応する第1のTx DCロケーションを識別し、第2のRATの信号に対応する第2のTx DCロケーションを識別してもよい。
【０１４９】
FFTマネージャ1335は、共通Rx DCロケーションに基づいて合成信号に対して共通Rx FFTを実行し、第1のRx DCロケーションに基づいて合成信号に対して第1のRx FFTを実行し、第2のRx DCロケーションに基づいて合成信号の複製に対して第2のRx FFTを実行してもよい。
【０１５０】
復号マネージャ1340は、共通Rx FFTの出力に基づいて第1のRATの信号および第2のRATの信号を復号し、第1のRx FFTおよび第2のRx FFTの出力に基づいて第1のRATの信号および第2のRATの信号を復号してもよい。いくつかの場合には、第1のRATの信号および第2のRATの信号を復号することは、共通Rx FFTの出力を第1のRATに関連付けられたRBおよび第2のRATに関連付けられたRBに分離することを含む。いくつかの場合には、第1のRATの信号および第2のRATの信号を復号することは、共通Rx FFTの出力を第1のRATに関連付けられたRBおよび第2のRATに関連付けられたRBに分離することを含む。いくつかの場合には、第1のRATの信号および第2のRATの信号を復号することは、共通Rx FFTの出力を第1のRATに関連付けられたRBおよび第2のRATに関連付けられたRBに分離することを含む。いくつかの場合には、第1のRATの信号および第2のRATの信号を復号することは、第1のRx FFTの出力を第1のRATに関連付けられたRBおよび第2のRATに関連付けられたRBに分離することを含む。いくつかの場合には、第1のRATの信号および第2のRATの信号を復号することは、第2のRx FFTの出力を第1のRATに関連付けられたRBおよび第2のRATに関連付けられたRBに分離することを含む。
【０１５１】
トランスミッタ1320は、デバイスの他のコンポーネントによって生成された信号を送信してもよい。いくつかの例では、トランスミッタ1320は、トランシーバモジュールにおいてレシーバ1310とコロケートされてもよい。たとえば、トランスミッタ1320は、図15を参照しながら説明するトランシーバ1535の態様の一例であってもよい。トランスミッタ1320は、単一のアンテナまたはアンテナのセットを利用してもよい。
【０１５２】
図14は、本開示の態様による、無線アクセス技術間のキャリア共有のための技法をサポートする基地局通信マネージャ1415のブロック図1400を示す。基地局通信マネージャ1415は、図12、図13、および図15を参照しながら説明する基地局通信マネージャ1215、基地局通信マネージャ1315、または基地局通信マネージャ1515の態様の一例であってもよい。基地局通信マネージャ1415は、DCマネージャ1420、ロケーションマネージャ1425、FFTマネージャ1430、復号マネージャ1435、回転マネージャ1440、補償マネージャ1445、および破棄マネージャ1450を含んでもよい。これらのモジュールの各々は、直接または間接的に互いと(たとえば、1つまたは複数のバスを介して)通信してもよい。
【０１５３】
DCマネージャ1420は、第1のRATの信号に対応する第1のTx DCロケーションを識別し、第2のRATの信号に対応する第2のTx DCロケーションを識別してもよい。いくつかの場合には、第1のTx DCロケーションおよび第2のTx DCロケーションは、ハーフトーンシフトだけ異なる。いくつかの場合には、第1のRATは、ハーフトーンシフトをUL通信に適用する。いくつかの場合には、第1のTx DCロケーションは、共通Rx DCロケーションとして選択される。いくつかの場合には、第2のTx DCロケーションは、共通Rx DCロケーションとして選択される。
【０１５４】
ロケーションマネージャ1425は、第1のTx DCロケーションまたは第2のTx DCロケーションのうちの1つを共通Rx DCロケーションとして選択し、第1のRATの信号に対応する第1のTx DCロケーションを識別し、第2のRATの信号に対応する第2のTx DCロケーションを識別してもよい。
【０１５５】
FFTマネージャ1430は、共通Rx DCロケーションに基づいて合成信号に対して共通Rx FFTを実行し、第1のRx DCロケーションに基づいて合成信号に対して第1のRx FFTを実行し、第2のRx DCロケーションに基づいて合成信号の複製に対して第2のRx FFTを実行してもよい。
【０１５６】
復号マネージャ1435は、共通Rx FFTの出力に基づいて第1のRATの信号および第2のRATの信号を復号し、第1のRx FFTおよび第2のRx FFTの出力に基づいて第1のRATの信号および第2のRATの信号を復号してもよい。いくつかの場合には、第1のRATの信号および第2のRATの信号を復号することは、共通Rx FFTの出力を第1のRATに関連付けられたRBおよび第2のRATに関連付けられたRBに分離することを含む。いくつかの場合には、第1のRATの信号および第2のRATの信号を復号することは、共通Rx FFTの出力を第1のRATに関連付けられたRBおよび第2のRATに関連付けられたRBに分離することを含む。いくつかの場合には、第1のRATの信号および第2のRATの信号を復号することは、共通Rx FFTの出力を第1のRATに関連付けられたRBおよび第2のRATに関連付けられたRBに分離することを含む。いくつかの場合には、第1のRATの信号および第2のRATの信号を復号することは、第1のRx FFTの出力を第1のRATに関連付けられたRBおよび第2のRATに関連付けられたRBに分離することを含む。いくつかの場合には、第1のRATの信号および第2のRATの信号を復号することは、第2のRx FFTの出力を第1のRATに関連付けられたRBおよび第2のRATに関連付けられたRBに分離することを含む。
【０１５７】
回転マネージャ1440は、共通Rx FFTを実行する前にハーフトーン回転を合成信号に適用し、第1のRx FFTを実行する前にハーフトーン回転を合成信号に適用してもよい。
【０１５８】
補償マネージャ1445は、それぞれの複素位相補償値を各トーン出力に適用することによって、第2のRATに関連付けられたRBを処理し、それぞれの複素位相補償値を各トーン出力に適用することによって、第1のRATに関連付けられたRBを処理し、それぞれの複素位相補償値を各トーン出力に適用することによって、第1のRATに関連付けられたRBまたは第2のRATに関連付けられたRBのいずれかを処理し、ルックアップテーブル(LUT)を介してまたは計算を通じてそれぞれの複素位相補償値を決定してもよい。いくつかの場合には、第1のRATに関連付けられたRBまたは第2のRATに関連付けられたRBのいずれかを処理することは、各トーン出力をそれぞれの複素位相補償値で乗算することを含む。いくつかの場合には、それぞれの複素位相補償値は各々、シンボルインデックス、サイクリックプレフィックス(CP)タイプ、またはそれらの組合せに基づく。
【０１５９】
破棄マネージャ1450は、第2のRATの信号を復号する一方で、第1のRATに関連付けられたRBを破棄してもよい。いくつかの場合には、第1のRATの信号および第2のRATの信号を復号することは、第1のRATの信号を復号する一方で、第2のRATに関連付けられたRBを破棄することを含む。
【０１６０】
図15は、本開示の態様による、無線アクセス技術間のキャリア共有のための技法をサポートするデバイス1505を含むシステム1500の図を示す。デバイス1505は、たとえば、図12および図13を参照しながら上記で説明したようなワイヤレスデバイス1205、ワイヤレスデバイス1305、または基地局105のコンポーネントの一例であってもよく、またはそれらを含んでもよい。デバイス1505は、基地局通信マネージャ1515と、プロセッサ1520と、メモリ1525と、ソフトウェア1530と、トランシーバ1535と、アンテナ1540と、ネットワーク通信マネージャ1545と、局間通信マネージャ1550とを含む、通信を送信および受信するためのコンポーネントを含む、双方向音声およびデータ通信のためのコンポーネントを含んでもよい。これらのコンポーネントは、1つまたは複数のバス(たとえば、バス1510)を介して電子通信していてもよい。デバイス1505は、1つまたは複数のUE115とワイヤレス通信してもよい。
【０１６１】
プロセッサ1520は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含んでもよい。いくつかの場合には、プロセッサ1520は、メモリコントローラを使用して、メモリアレイを動作させるように構成されてもよい。他の場合には、メモリコントローラは、プロセッサ1520に組み込まれてもよい。プロセッサ1520は、様々な機能(たとえば、無線アクセス技術間のキャリア共有のための技法をサポートする機能またはタスク)を実行するために、メモリに記憶されたコンピュータ可読命令を実行するように構成されてもよい。
【０１６２】
メモリ1525は、ランダムアクセスメモリ(RAM)および読取り専用メモリ(ROM)を含んでもよい。メモリ1525は、実行されると、本明細書で説明する様々な機能をプロセッサに実行させる命令を含む、コンピュータ可読、コンピュータ実行可能ソフトウェア1530を記憶してもよい。いくつかの場合には、メモリ1525は、特に、周辺コンポーネントまたはデバイスとの相互作用などの、基本的なハードウェアまたはソフトウェア動作を制御する場合がある基本入出力システム(BIOS)を含んでもよい。
【０１６３】
ソフトウェア1530は、無線アクセス技術間のキャリア共有のための技法をサポートするためのコードを含む、本開示の態様を実装するためのコードを含んでもよい。ソフトウェア1530は、システムメモリまたは他のメモリなどの非一時的コンピュータ可読媒体に記憶されてもよい。いくつかの場合には、ソフトウェア1530は、プロセッサによって直接実行可能ではないことがあるが、(たとえば、コンパイルされ、実行されると)本明細書で説明する機能をコンピュータに実行させることがある。
【０１６４】
トランシーバ1535は、上記で説明したように、1つまたは複数のアンテナ、ワイヤードリンク、またはワイヤレスリンクを介して双方向に通信してもよい。たとえば、トランシーバ1535は、ワイヤレストランシーバを表してもよく、別のワイヤレストランシーバと双方向に通信してもよい。トランシーバ1535はまた、パケットを変調し、変調されたパケットを送信のためにアンテナに与えるための、かつアンテナから受信されたパケットを復調するためのモデムを含んでもよい。
【０１６５】
いくつかの場合には、ワイヤレスデバイスは、単一のアンテナ1540を含んでもよい。しかしながら、いくつかの場合には、デバイスは、複数のワイヤレス送信を同時に送信または受信することが可能である場合がある2つ以上のアンテナ1540を有してもよい。
【０１６６】
ネットワーク通信マネージャ1545は、(たとえば、1つまたは複数のワイヤードバックホールリンクを介して)コアネットワークとの通信を管理してもよい。たとえば、ネットワーク通信マネージャ1545は、1つまたは複数のUE115などのクライアントデバイスのためのデータ通信の転送を管理してもよい。
【０１６７】
局間通信マネージャ1550は、他の基地局105との通信を管理してもよく、他の基地局105と協調してUE115との通信を制御するためのコントローラまたはスケジューラを含んでもよい。たとえば、局間通信マネージャ1550は、ビームフォーミングまたはジョイント送信などの様々な干渉軽減技法のために、UE115への送信のためのスケジューリングを協調させてもよい。いくつかの例では、局間通信マネージャ1550は、基地局105間の通信を行うために、LTE/LTE-Aワイヤレス通信ネットワーク技術内のX2インターフェースを提供してもよい。
【０１６８】
図16は、本開示の態様による、無線アクセス技術間のキャリア共有のための技法をサポートするワイヤレスデバイス1605のブロック図1600を示す。ワイヤレスデバイス1605は、本明細書で説明するようなUE115の態様の一例であってもよい。ワイヤレスデバイス1605は、レシーバ1610、UE通信マネージャ1615、およびトランスミッタ1620を含んでもよい。ワイヤレスデバイス1605はまた、プロセッサを含んでもよい。これらのコンポーネントの各々は、(たとえば、1つまたは複数のバスを介して)互いと通信していてもよい。
【０１６９】
レシーバ1610は、パケット、ユーザデータ、または様々な情報チャネル(たとえば、制御チャネル、データチャネル、および無線アクセス技術間のキャリア共有のための技法に関する情報など)に関連付けられた制御情報などの情報を受信してもよい。情報は、デバイスの他のコンポーネントに渡されてもよい。レシーバ1610は、図19を参照しながら説明するトランシーバ1935の態様の一例であってもよい。レシーバ1610は、単一のアンテナまたはアンテナのセットを利用してもよい。
【０１７０】
UE通信マネージャ1615は、図19を参照しながら説明するUE通信マネージャ1915の態様の一例であってもよい。UE通信マネージャ1615および/またはその様々なサブコンポーネントのうちの少なくともいくつかは、ハードウェア、プロセッサによって実行されるソフトウェア、ファームウェア、またはそれらの任意の組合せにおいて実装されてもよい。プロセッサによって実行されるソフトウェアにおいて実装される場合、UE通信マネージャ1615および/またはその様々なサブコンポーネントのうちの少なくともいくつかの機能は、汎用プロセッサ、DSP、ASIC、FPGAもしくは他のプログラマブル論理デバイス、個別ゲートもしくはトランジスタ論理、個別ハードウェアコンポーネント、または本開示で説明する機能を実行するように設計されたそれらの任意の組合せによって実行されてもよい。UE通信マネージャ1615および/またはその様々なサブコンポーネントのうちの少なくともいくつかは、機能の部分が1つまたは複数の物理デバイスによって異なる物理的ロケーションにおいて実装されるように分散されることを含めて、様々な位置に物理的に配置されてもよい。いくつかの例では、UE通信マネージャ1615および/またはその様々なサブコンポーネントのうちの少なくともいくつかは、本開示の様々な態様による別個の異なるコンポーネントであってもよい。他の例では、UE通信マネージャ1615および/またはその様々なサブコンポーネントのうちの少なくともいくつかは、限定はしないが、I/Oコンポーネント、トランシーバ、ネットワークサーバ、別のコンピューティングデバイス、本開示で説明する1つもしくは複数の他のコンポーネント、または本開示の様々な態様によるそれらの組合せを含む、1つまたは複数の他のハードウェアコンポーネントと組み合わされてもよい。
【０１７１】
UE通信マネージャ1615は、第1のRATの信号および第2のRATの信号を、それぞれ第1のRBおよび第2のRBに符号化し、第1のRATの信号に対応する第1のTx DCロケーションを識別し、第2のRATの信号に対応する第2のTx DCロケーションを識別し、第1のTx DCロケーションまたは第2のTx DCロケーションのうちの1つを共通Tx DCロケーションとして選択し、共通Tx DCロケーションに基づいて第1のRBおよび第2のRBに対して共通Tx iFFTを実行してもよい。UE通信マネージャ1615はまた、第1のRATの信号および第2のRATの信号を、それぞれ第1のRBおよび第2のRBに符号化し、第1のRATの信号に対応する第1のTx DCロケーションを識別し、第1のTx DCロケーションに基づいて第1のRBに対して第1のTx iFFTを実行し、第2のRATの信号に対応する第2のTx DCロケーションを識別し、第2のTx DCロケーションに基づいて第2のRBに対して第2のTx iFFTを実行してもよい。
【０１７２】
トランスミッタ1620は、デバイスの他のコンポーネントによって生成された信号を送信してもよい。いくつかの例では、トランスミッタ1620は、トランシーバモジュールにおいてレシーバ1610とコロケートされてもよい。たとえば、トランスミッタ1620は、図19を参照しながら説明するトランシーバ1935の態様の一例であってもよい。トランスミッタ1620は、単一のアンテナまたはアンテナのセットを利用してもよい。
【０１７３】
トランスミッタ1620は、共通Tx iFFTの出力に基づいて、同じサブフレームにおいて周波数領域多重化された第1のRATの信号および第2のRATの信号を含む合成信号を送信し、第1のTx iFFTおよび第2のTx iFFTの出力に基づいて、同じサブフレームにおいて周波数領域多重化された第1のRATの信号および第2のRATの信号を含む合成信号を送信してもよい。
【０１７４】
図17は、本開示の態様による、無線アクセス技術間のキャリア共有のための技法をサポートするワイヤレスデバイス1705のブロック図1700を示す。ワイヤレスデバイス1705は、図16を参照しながら説明したようなワイヤレスデバイス1605またはUE115の態様の一例であってもよい。ワイヤレスデバイス1705は、レシーバ1710、UE通信マネージャ1715、およびトランスミッタ1720を含んでもよい。ワイヤレスデバイス1705はまた、プロセッサを含んでもよい。これらのコンポーネントの各々は、(たとえば、1つまたは複数のバスを介して)互いと通信していてもよい。
【０１７５】
レシーバ1710は、パケット、ユーザデータ、または様々な情報チャネル(たとえば、制御チャネル、データチャネル、および無線アクセス技術間のキャリア共有のための技法に関する情報など)に関連付けられた制御情報などの情報を受信してもよい。情報は、デバイスの他のコンポーネントに渡されてもよい。レシーバ1710は、図19を参照しながら説明するトランシーバ1935の態様の一例であってもよい。レシーバ1710は、単一のアンテナまたはアンテナのセットを利用してもよい。
【０１７６】
UE通信マネージャ1715は、図19を参照しながら説明するUE通信マネージャ1915の態様の一例であってもよい。UE通信マネージャ1715はまた、符号化マネージャ1725、DCマネージャ1730、ロケーションマネージャ1735、およびiFFTマネージャ1740を含んでもよい。
【０１７７】
符号化マネージャ1725は、第1のRATの信号および第2のRATの信号を、それぞれ第1のRBおよび第2のRBに符号化してもよい。いくつかの場合には、第1のRATの信号および第2のRATの信号を符号化することは、それぞれの複素位相補償値を各トーン入力に適用することによって、第1のRATに関連付けられたRBを処理することを含む。
【０１７８】
DCマネージャ1730は、第1のRATの信号に対応する第1のTx DCロケーションを識別し、第2のRATの信号に対応する第2のTx DCロケーションを識別してもよい。いくつかの場合には、第1のTx DCロケーションおよび第2のTx DCロケーションは、ハーフトーンシフトだけ異なる。いくつかの場合には、第1のRATは、ハーフトーンシフトをUL通信に適用する。
【０１７９】
ロケーションマネージャ1735は、第1のTx DCロケーションまたは第2のTx DCロケーションのうちの1つを共通Tx DCロケーションとして選択し、第1のRATの信号に対応する第1のTx DCロケーションを識別し、第2のRATの信号に対応する第2のTx DCロケーションを識別してもよい。いくつかの場合には、第1のTx DCロケーションは、共通Tx DCロケーションとして選択される。いくつかの場合には、第2のTx DCロケーションは、共通Tx DCロケーションとして選択される。
【０１８０】
iFFTマネージャ1740は、共通Tx DCロケーションに基づいて第1のRBおよび第2のRBに対して共通Tx iFFTを実行し、第1のTx DCロケーションに基づいて第1のRBに対して第1のTx iFFTを実行し、第2のTx DCロケーションに基づいて第2のRBに対して第2のTx iFFTを実行してもよい。いくつかの場合には、UEがUL MIMO対応であるとき、第1のTx iFFTおよび第2のTx iFFTは、それぞれ第1のTxチェーンおよび第2のTxチェーンによって実行される。いくつかの場合には、UEがUL MIMO対応または帯域内非連続CA対応であるとき、第1のTx iFFTおよび第2のTx iFFTは、それぞれ第1のTxチェーンおよび第2のTxチェーンによって実行される。いくつかの場合には、第1のTxチェーンおよび第2のTxチェーンは互いに独立しており、各々が別個の電力増幅器(PA)を有する。
【０１８１】
トランスミッタ1720は、デバイスの他のコンポーネントによって生成された信号を送信してもよい。いくつかの例では、トランスミッタ1720は、トランシーバモジュールにおいてレシーバ1710とコロケートされてもよい。たとえば、トランスミッタ1720は、図19を参照しながら説明するトランシーバ1935の態様の一例であってもよい。トランスミッタ1720は、単一のアンテナまたはアンテナのセットを利用してもよい。
【０１８２】
図18は、本開示の態様による、無線アクセス技術間のキャリア共有のための技法をサポートするUE通信マネージャ1815のブロック図1800を示す。UE通信マネージャ1815は、図16、図17、および図19を参照しながら説明するUE通信マネージャ1615、UE通信マネージャ1715、またはUE通信マネージャ1915の態様の一例であってもよい。UE通信マネージャ1815は、符号化マネージャ1820、DCマネージャ1825、ロケーションマネージャ1830、iFFTマネージャ1835、補償マネージャ1840、および回転マネージャ1845を含んでもよい。これらのモジュールの各々は、直接または間接的に互いと(たとえば、1つまたは複数のバスを介して)通信してもよい。
【０１８３】
符号化マネージャ1820は、第1のRATの信号および第2のRATの信号を、それぞれ第1のRBおよび第2のRBに符号化してもよい。いくつかの場合には、第1のRATの信号および第2のRATの信号を符号化することは、それぞれの複素位相補償値を各トーン入力に適用することによって、第1のRATに関連付けられたRBを処理することを含む。
【０１８４】
DCマネージャ1825は、第1のRATの信号に対応する第1のTx DCロケーションを識別し、第2のRATの信号に対応する第2のTx DCロケーションを識別してもよい。いくつかの場合には、第1のTx DCロケーションおよび第2のTx DCロケーションは、ハーフトーンシフトだけ異なる。いくつかの場合には、第1のRATは、ハーフトーンシフトをUL通信に適用する。
【０１８５】
ロケーションマネージャ1830は、第1のTx DCロケーションまたは第2のTx DCロケーションのうちの1つを共通Tx DCロケーションとして選択し、第1のRATの信号に対応する第1のTx DCロケーションを識別し、第2のRATの信号に対応する第2のTx DCロケーションを識別してもよい。いくつかの場合には、第1のTx DCロケーションは、共通Tx DCロケーションとして選択される。いくつかの場合には、第2のTx DCロケーションは、共通Tx DCロケーションとして選択される。
【０１８６】
iFFTマネージャ1835は、共通Tx DCロケーションに基づいて第1のRBおよび第2のRBに対して共通Tx iFFTを実行し、第1のTx DCロケーションに基づいて第1のRBに対して第1のTx iFFTを実行し、第2のTx DCロケーションに基づいて第2のRBに対して第2のTx iFFTを実行してもよい。いくつかの場合には、UEがUL MIMO対応であるとき、第1のTx iFFTおよび第2のTx iFFTは、それぞれ第1のTxチェーンおよび第2のTxチェーンによって実行される。いくつかの場合には、UEがUL MIMO対応または帯域内非連続CA対応であるとき、第1のTx iFFTおよび第2のTx iFFTは、それぞれ第1のTxチェーンおよび第2のTxチェーンによって実行される。いくつかの場合には、第1のTxチェーンおよび第2のTxチェーンは互いに独立しており、各々が別個のPAを有する。
【０１８７】
補償マネージャ1840は、LUTを介してまたは計算を通じてそれぞれの複素位相補償値を決定してもよい。いくつかの場合には、第1のRATの信号および第2のRATの信号を符号化することは、それぞれの複素位相補償値を各トーン入力に適用することによって、第2のRATに関連付けられたRBを処理することを含む。いくつかの場合には、第1のRATの信号および第2のRATの信号を符号化することは、それぞれの複素位相補償値を各トーン入力に適用することによって、第1のRATに関連付けられたRBまたは第2のRATに関連付けられたRBのいずれかを処理することを含む。いくつかの場合には、第1のRATに関連付けられたRBまたは第2のRATに関連付けられたRBのいずれかを処理することは、各トーン出力をそれぞれの複素位相補償値で乗算することを含む。いくつかの場合には、それぞれの複素位相補償値は各々、シンボルインデックス、CPタイプ、またはそれらの組合せに基づく。
【０１８８】
回転マネージャ1845は、共通Tx iFFTを実行した後かつ合成信号を送信する前にハーフトーン回転を合成信号に適用してもよい。
【０１８９】
図19は、本開示の態様による、無線アクセス技術間のキャリア共有のための技法をサポートするデバイス1905を含むシステム1900の図を示す。デバイス1905は、たとえば、図1を参照しながら上記で説明したようなUE115のコンポーネントの一例であってもよく、またはそれらを含んでもよい。デバイス1905は、UE通信マネージャ1915と、プロセッサ1920と、メモリ1925と、ソフトウェア1930と、トランシーバ1935と、アンテナ1940と、I/Oコントローラ1945とを含む、通信を送信および受信するためのコンポーネントを含む、双方向音声およびデータ通信のためのコンポーネントを含んでもよい。これらのコンポーネントは、1つまたは複数のバス(たとえば、バス1910)を介して電子通信していてもよい。デバイス1905は、1つまたは複数の基地局105とワイヤレス通信してもよい。
【０１９０】
プロセッサ1920は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含んでもよい。いくつかの場合には、プロセッサ1920は、メモリコントローラを使用して、メモリアレイを動作させるように構成されてもよい。他の場合には、メモリコントローラは、プロセッサ1920に組み込まれてもよい。プロセッサ1920は、様々な機能(たとえば、無線アクセス技術間のキャリア共有のための技法をサポートする機能またはタスク)を実行するために、メモリに記憶されたコンピュータ可読命令を実行するように構成されてもよい。
【０１９１】
メモリ1925は、RAMおよびROMを含んでもよい。メモリ1925は、実行されると、本明細書で説明する様々な機能をプロセッサに実行させる命令を含む、コンピュータ可読、コンピュータ実行可能ソフトウェア1930を記憶してもよい。いくつかの場合には、メモリ1925は、特に、周辺コンポーネントまたはデバイスとの相互作用などの、基本的なハードウェアまたはソフトウェア動作を制御する場合があるBIOSを含んでもよい。
【０１９２】
ソフトウェア1930は、無線アクセス技術間のキャリア共有のための技法をサポートするためのコードを含む、本開示の態様を実装するためのコードを含んでもよい。ソフトウェア1930は、システムメモリまたは他のメモリなどの非一時的コンピュータ可読媒体に記憶されてもよい。いくつかの場合には、ソフトウェア1930は、プロセッサによって直接実行可能ではないことがあるが、(たとえば、コンパイルされ、実行されると)本明細書で説明する機能をコンピュータに実行させることがある。
【０１９３】
トランシーバ1935は、上記で説明したように、1つまたは複数のアンテナ、ワイヤードリンク、またはワイヤレスリンクを介して双方向に通信してもよい。たとえば、トランシーバ1935は、ワイヤレストランシーバを表してもよく、別のワイヤレストランシーバと双方向に通信してもよい。トランシーバ1935はまた、パケットを変調し、変調されたパケットを送信のためにアンテナに与えるための、かつアンテナから受信されたパケットを復調するためのモデムを含んでもよい。
【０１９４】
いくつかの場合には、ワイヤレスデバイスは、単一のアンテナ1940を含んでもよい。しかしながら、いくつかの場合には、デバイスは、複数のワイヤレス送信を同時に送信または受信することが可能である場合がある2つ以上のアンテナ1940を有してもよい。
【０１９５】
I/Oコントローラ1945は、デバイス1905のための入力信号および出力信号を管理してもよい。I/Oコントローラ1945はまた、デバイス1905に組み込まれていない周辺装置を管理してもよい。いくつかの場合には、I/Oコントローラ1945は、外部周辺装置への物理接続またはポートを表してもよい。いくつかの場合には、I/Oコントローラ1945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用してもよい。他の場合には、I/Oコントローラ1945は、モデム、キーボード、マウス、タッチスクリーン、または同様のデバイスを表してもよく、またはそれらと対話してもよい。いくつかの場合には、I/Oコントローラ1945は、プロセッサの一部として実装されてもよい。いくつかの場合には、ユーザは、I/Oコントローラ1945を介して、またはI/Oコントローラ1945によって制御されるハードウェアコンポーネントを介して、デバイス1905と対話してもよい。
【０１９６】
本明細書で説明する技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムに使用されてもよい。「システム」および「ネットワーク」という用語は、しばしば互換的に使用される。CDMAシステムは、CDMA2000、ユニバーサル地上波無線アクセス(UTRA)などの無線技術を実装してもよい。CDMA2000は、IS-2000規格、IS-95規格、およびIS-856規格をカバーする。IS-2000リリースは、一般にCDMA2000 1X、1Xなどと呼ばれることがある。IS-856(TIA-856)は、一般にCDMA2000 1xEV-DO、高速パケットデータ(HRPD)などと呼ばれる。UTRAは、広帯域CDMA(WCDMA(登録商標))、およびCDMAの他の変形態を含む。TDMAシステムは、モバイル通信用グローバルシステム(GSM(登録商標))などの無線技術を実装してもよい。
【０１９７】
OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDMなどの無線技術を実装してもよい。UTRAおよびE-UTRAは、ユニバーサルモバイルテレコミュニケーションズシステム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明する技法は、上述のシステムおよび無線技術ならびに他のシステムおよび無線技術に使用されてもよい。LTEまたはNRシステムの態様について例として説明することがあり、説明の大部分においてLTEまたはNR用語が使用されることがあるが、本明細書で説明する技法は、LTEまたはNR適用例以外に適用可能である。
【０１９８】
本明細書で説明するそのようなネットワークを含むLTE/LTE-Aネットワークでは、発展型ノードB(eNB)という用語は、一般に基地局を表すために使用されることがある。本明細書で説明する1つまたは複数のワイヤレス通信システムは、異なるタイプのeNBが様々な地理的領域にカバレージを提供する異種LTE/LTE-AまたはNRネットワークを含んでもよい。たとえば、各eNB、次世代ノードB(gNB)、または基地局は、マクロセル、スモールセル、または他のタイプのセルに通信カバレージを提供してもよい。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用されることがある。
【０１９９】
基地局は、基地トランシーバ局、無線基地局、アクセスポイント、無線トランシーバ、ノードB、eノードB(eNB)、gNB、ホームノードB、ホームeノードB、または何らかの他の適切な用語を含んでもよく、またはそのように当業者によって呼ばれることがある。基地局のための地理的カバレージエリアは、カバレージエリアの一部分のみを構成するセクタに分割されてもよい。本明細書で説明する1つまたは複数のワイヤレス通信システムは、異なるタイプの基地局(たとえば、マクロセル基地局またはスモールセル基地局)を含んでもよい。本明細書で説明するUEは、マクロeNB、スモールセルeNB、gNB、リレー基地局などを含む、様々なタイプの基地局およびネットワーク機器と通信することが可能である場合がある。異なる技術のための重複する地理的カバレージエリアが存在することがある。
【０２００】
マクロセルは、一般に比較的大きい地理的エリア(たとえば、半径数キロメートル)をカバーし、ネットワークプロバイダのサービスに加入しているUEによる無制限アクセスを可能にすることがある。スモールセルは、マクロセルと比較して、マクロセルと同じまたはマクロセルとは異なる(たとえば、認可、無認可など)周波数帯域内で動作する場合がある低電力基地局である。スモールセルは、様々な例による、ピコセル、フェムトセル、およびマイクロセルを含んでもよい。ピコセルは、たとえば、小さい地理的エリアをカバーすることがあり、ネットワークプロバイダのサービスに加入しているUEによる無制限アクセスを可能にすることがある。フェムトセルも、小さい地理的エリア(たとえば、自宅)をカバーすることがあり、フェムトセルとの関連付けを有するUE(たとえば、限定加入者グループ(CSG)内のUE、自宅内のユーザのためのUEなど)による制限付きアクセスを提供することがある。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートしてもよい。
【０２０１】
本明細書で説明する1つまたは複数のワイヤレス通信システムは、同期動作または非同期動作をサポートしてもよい。同期動作の場合、基地局は、同様のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明する技法は、同期動作または非同期動作のいずれかに使用されてもよい。
【０２０２】
本明細書で説明するDL送信は順方向リンク送信と呼ばれることもあり、UL送信は逆方向リンク送信と呼ばれることもある。たとえば、図1および図2のワイヤレス通信システム100および200を含む、本明細書で説明する各通信リンクは、1つまたは複数のキャリアを含んでもよく、各キャリアは、複数のサブキャリア(たとえば、異なる周波数の波形信号)から構成される信号であってもよい。
【０２０３】
添付の図面に関して本明細書に記載する説明は、例示的な構成について説明しており、実装される場合があるかまたは特許請求の範囲内に入るすべての例を表すとは限らない。本明細書で使用する「例示的」という用語は、「例、事例、または例示として役立つ」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践されてもよい。いくつかの事例では、説明した例の概念を不明瞭にすることを回避するために、よく知られている構造およびデバイスはブロック図の形態で示される。
【０２０４】
添付の図では、同様のコンポーネントまたは特徴は、同じ参照ラベルを有することがある。さらに、同じタイプの様々なコンポーネントは、参照ラベルの後に、ダッシュと、同様のコンポーネントを区別する第2のラベルとを続けることによって、区別されることがある。本明細書において第1の参照ラベルのみが使用される場合、説明は、第2の参照ラベルにかかわらず、同じ第1の参照ラベルを有する同様のコンポーネントのいずれにも適用可能である。
【０２０５】
本明細書で説明する情報および信号は、様々な異なる技術および技法のいずれかを使用して表されてもよい。たとえば、上記の説明全体にわたって参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０２０６】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェアコンポーネント、または本明細書で説明する機能を実行するように設計されたそれらの任意の組合せを用いて実装または実行されてもよい。汎用プロセッサはマイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装されてもよい。
【０２０７】
本明細書で説明する機能は、ハードウェア、プロセッサによって実行されるソフトウェア、ファームウェア、またはそれらの任意の組合せにおいて実装されてもよい。プロセッサによって実行されるソフトウェアにおいて実装される場合、機能は、1つまたは複数の命令またはコードとして、コンピュータ可読媒体上に記憶されるか、またはコンピュータ可読媒体を介して送信されてもよい。他の例および実装形態は、本開示および添付の特許請求の範囲の範囲内に入る。たとえば、ソフトウェアの性質に起因して、上記で説明した機能は、プロセッサによって実行されるソフトウェア、ハードウェア、ファームウェア、ハードワイヤリング、またはこれらのうちのいずれかの組合せを使用して実装されることが可能である。機能を実装する特徴はまた、機能の部分が異なる物理的ロケーションにおいて実装されるように分散されることを含めて、様々な位置に物理的に配置されてもよい。また、特許請求の範囲内を含めて本明細書で使用する、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」として説明する例示的なステップは、本開示の範囲から逸脱することなく、条件Aと条件Bとの両方に基づいてもよい。言い換えれば、本明細書で使用する「に基づいて」という句は、「に少なくとも部分的に基づいて」という句と同じように解釈されるべきである。
【０２０８】
コンピュータ可読媒体は、非一時的コンピュータ記憶媒体と、ある場所から別の場所へのコンピュータプログラムの転送を容易にする任意の媒体を含む通信媒体との両方を含む。非一時的記憶媒体は、汎用コンピュータまたは専用コンピュータによってアクセスされることが可能である任意の利用可能な媒体であってもよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用されることが可能であり、汎用コンピュータもしくは専用コンピュータまたは汎用プロセッサもしくは専用プロセッサによってアクセスされることが可能である任意の他の非一時的媒体を備えてもよい。また、いかなる接続も、コンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(disc)(登録商標)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０２０９】
本明細書での説明は、当業者が本開示を作成または使用することを可能にするために与えられる。本開示に対する様々な修正は、当業者に容易に明らかになり、本明細書で定義する一般原理は、本開示の範囲から逸脱することなく他の変形形態に適用されてもよい。したがって、本開示は、本明細書で説明する例および設計に限定されず、本明細書で開示する原理および新規の特徴と一致する最も広い範囲を与えられるべきである。
【符号の説明】
【０２１０】
100  ワイヤレス通信システム
105  基地局、発展型ノードB(eNB)
110  地理的カバレージエリア、カバレージエリア
115  ユーザ機器(UE)、UE
125  通信リンク
130  コアネットワーク
132  バックホールリンク
134  バックホールリンク
200  ワイヤレス通信システム
205  基地局
210  UE
215  UL信号、信号、第1のRAT信号
220  UL信号、信号、第2のRAT信号
225  合成信号
300  トーンチャート
305  ULトーン
310  ULトーン
315  DC値
320  DC値
325  オフセット
400  方法
500  方法
600  方法
700  方法
800  方法
900  方法
1000  方法
1100  方法
1200  ブロック図
1205  ワイヤレスデバイス
1210  レシーバ
1215  基地局通信マネージャ
1220  トランスミッタ
1300  ブロック図
1305  ワイヤレスデバイス
1310  レシーバ
1315  基地局通信マネージャ
1320  トランスミッタ
1325  DCマネージャ
1330  ロケーションマネージャ
1335  FFTマネージャ
1340  復号マネージャ
1400  ブロック図
1415  基地局通信マネージャ
1420  DCマネージャ
1425  ロケーションマネージャ
1430  FFTマネージャ
1435  復号マネージャ
1440  回転マネージャ
1445  補償マネージャ
1450  破棄マネージャ
1500  システム
1505  デバイス
1510  バス
1515  基地局通信マネージャ
1520  プロセッサ
1525  メモリ
1530  コンピュータ可読、コンピュータ実行可能ソフトウェア、ソフトウェア
1535  トランシーバ
1540  アンテナ
1545  ネットワーク通信マネージャ
1550  局間通信マネージャ
1600  ブロック図
1605  ワイヤレスデバイス
1610  レシーバ
1615  UE通信マネージャ
1620  トランスミッタ
1700  ブロック図
1705  ワイヤレスデバイス
1710  レシーバ
1715  UE通信マネージャ
1720  トランスミッタ
1725  符号化マネージャ
1730  DCマネージャ
1735  ロケーションマネージャ
1740  iFFTマネージャ
1800  ブロック図
1815  UE通信マネージャ
1820  符号化マネージャ
1825  DCマネージャ
1830  ロケーションマネージャ
1835  iFFTマネージャ
1840  補償マネージャ
1845  回転マネージャ
1900  システム
1905  デバイス
1910  バス
1915  UE通信マネージャ
1920  プロセッサ
1925  メモリ
1930  コンピュータ可読、コンピュータ実行可能ソフトウェア、ソフトウェア
1935  トランシーバ
1940  アンテナ
1945  I/Oコントローラ
【図１】
0006871434.tif 000002
【図２】
0006871434.tif 000003
【図３】
0006871434.tif 000004
【図４】
0006871434.tif 000005
【図５】
0006871434.tif 000006
【図６】
0006871434.tif 000007
【図７】
0006871434.tif 000008
【図８】
0006871434.tif 000009
【図９】
0006871434.tif 000010
【図１０】
0006871434.tif 000011
【図１１】
0006871434.tif 000012
【図１２】
0006871434.tif 000013
【図１３】
0006871434.tif 000014
【図１４】
0006871434.tif 000015
【図１５】
0006871434.tif 000016
【図１６】
0006871434.tif 000017
【図１７】
0006871434.tif 000018
【図１８】
0006871434.tif 000019
【図１９】
0006871434.tif 000020